(57)【要約】【課題】電気機器の省電力動作をより適切に制御することができる機器管理装置、統合機器管理装置、機器管理システム、機器管理方法および機器管理プログラムを提供する。【解決手段】機器管理装置は、電力消費に関する電力管理情報を取得する電力管理情報取得部と、前記電力管理情報に基づいて、電気機器に省電力動作を行わせることが可能な動作制御部とを備え、前記動作制御部は、災害が発生すると、前記省電力動作を行っている前記電気機器の動作内容を変更する。【選択図】図２
2015065793.tif 000002
【特許請求の範囲】
【請求項１】
電力消費に関する電力管理情報を取得する電力管理情報取得部と、
前記電力管理情報に基づいて、電気機器に省電力動作を行わせることが可能な動作制御部とを備え、
前記動作制御部は、災害が発生すると、前記省電力動作を行っている前記電気機器の動作内容を変更する、機器管理装置。
【請求項２】
前記動作制御部は、災害が発生すると、前記電気機器の前記省電力動作を解除する、請求項１に記載の機器管理装置。
【請求項３】
前記機器管理装置は、複数の前記電気機器の動作を制御し、
前記動作制御部は、災害が発生すると、災害時における前記電気機器の動作の必要性に応じて付与された優先度または優先順位に従って、前記各電気機器の動作内容を変更する、請求項１に記載の機器管理装置。
【請求項４】
前記動作制御部は、災害が発生すると、さらに、前記各電気機器の消費電力の合計が前記電力管理情報に基づく節電目標を達成するように、前記各電気機器の動作内容を変更する、請求項３に記載の機器管理装置。
【請求項５】
前記動作制御部は、前記各電気機器に付与される前記優先度または前記優先順位の複数のパターンのうち、災害の状況に応じたパターンにおける前記各電気機器の優先度または優先順位に従って、前記各電気機器の動作内容を変更する、請求項３または請求項４に記載の機器管理装置。
【請求項６】
前記動作制御部は、災害が収束すると、前記電気機器の動作内容を、災害が発生していない場合の動作内容に変更する、請求項１から請求項５のいずれか１項に記載の機器管理装置。
【請求項７】
電気機器の動作を制御する複数の機器管理装置、の管理を行う統合機器管理装置であって、
電力消費に関する電力管理情報を取得する電力管理情報取得部と、
前記電力管理情報に基づいて、前記機器管理装置の制御対象である前記電気機器の消費電力の節電目標を、前記機器管理装置ごとに設定する目標設定部とを備え、
前記目標設定部は、災害が発生すると、一部または全部の前記機器管理装置の前記節電目標を変更する、統合機器管理装置。
【請求項８】
前記目標設定部は、災害が発生すると、一部または全部の前記機器管理装置の前記節電目標を解除する、請求項７に記載の統合機器管理装置。
【請求項９】
前記目標設定部は、災害が発生すると、前記機器管理装置の制御対象である前記電気機器の災害時における動作の必要性に応じて付与された前記機器管理装置の優先度または優先順位に従って、一部または全部の前記機器管理装置の前記節電目標を変更する、請求項７に記載の統合機器管理装置。
【請求項１０】
前記目標設定部は、災害が発生すると、さらに、前記機器管理装置の制御対象である全ての前記電気機器の消費電力の合計が、前記電力管理情報に基づく全ての前記電気機器を対象とした全体目標を達成するように、一部または全部の前記機器管理装置の前記節電目標を変更する、請求項９に記載の統合機器管理装置。
【請求項１１】
前記目標設定部は、災害が収束すると、一部または全部の前記機器管理装置の前記節電目標を、災害が発生していない場合の節電目標に変更する、請求項７から請求項１０のいずれか１項に記載の統合機器管理装置。
【請求項１２】
電気機器の動作を制御する複数の機器管理装置と、
複数の前記機器管理装置の管理を行う統合機器管理装置とを備え、
前記統合機器管理装置は、電力消費に関する電力管理情報に基づいて、前記機器管理装置の制御対象である前記電気機器の消費電力の節電目標を前記機器管理装置ごとに設定し、設定した前記節電目標を対応の前記機器管理装置へ送信し、
前記機器管理装置は、前記統合機器管理装置から受信した前記節電目標に基づいて、自己の制御対象である前記電気機器に省電力動作を行わせ、
前記統合機器管理装置は、災害が発生すると、一部または全部の前記機器管理装置の前記節電目標を変更し、
前記機器管理装置は、前記統合機器管理装置により変更された後の前記節電目標に基づいて、前記省電力動作を行っている前記電気機器の動作内容を変更する、機器管理システム。
【請求項１３】
電気機器の動作を制御する複数の機器管理装置と、
複数の前記機器管理装置の管理を行う統合機器管理装置とを備える機器管理システムにおける機器管理方法であって、
前記統合機器管理装置が、電力消費に関する電力管理情報に基づいて、前記機器管理装置の制御対象である前記電気機器の消費電力の節電目標を前記機器管理装置ごとに設定し、設定した前記節電目標を対応の前記機器管理装置へ送信するステップと、
前記機器管理装置が、前記統合機器管理装置から受信した前記節電目標に基づいて、自己の制御対象である前記電気機器に省電力動作を行わせるステップと、
前記統合機器管理装置が、災害が発生すると、一部または全部の前記機器管理装置の前記節電目標を変更するステップと、
前記機器管理装置が、前記統合機器管理装置により変更された後の前記節電目標に基づいて、前記省電力動作を行っている前記電気機器の動作内容を変更するステップとを含む、機器管理方法。
【請求項１４】
電気機器の動作を制御する複数の機器管理装置において用いられる機器管理プログラムであって、
コンピュータに、
電力消費に関する電力管理情報を取得するステップと、
前記電力管理情報に基づいて、前記電気機器に省電力動作を行わせるステップと、
災害が発生すると、前記省電力動作を行っている前記電気機器の動作内容を変更するステップとを実行させるための、機器管理プログラム。
【請求項１５】
電気機器の動作を制御する複数の機器管理装置、の管理を行う統合機器管理装置において用いられる機器管理プログラムであって、
コンピュータに、
電力消費に関する電力管理情報を取得するステップと、
前記電力管理情報に基づいて、前記機器管理装置の制御対象である前記電気機器の消費電力の節電目標を前記機器管理装置ごとに設定するステップと、
災害が発生すると、一部または全部の前記機器管理装置の前記節電目標を変更するステップとを実行させるための、機器管理プログラム。
【発明の詳細な説明】
【技術分野】
【０００１】
本発明は、機器管理装置、統合機器管理装置、機器管理システム、機器管理方法および機器管理プログラムに関し、特に、電気機器の管理を行う機器管理装置、統合機器管理装置、機器管理システム、機器管理方法および機器管理プログラムに関する。
【背景技術】
【０００２】
一般家庭およびオフィス等において、各種電気機器と通信することにより複数の電気機器を管理する機器管理システムが開発されている（たとえば、「ＥＣＨＯＮＥＴ  Ｌｉｔｅ規格書  Ｖｅｒ１．０１」、エコーネットコンソーシアム、２０１２年３月５日発行（非特許文献１）参照）。
【先行技術文献】
【非特許文献】
【０００３】
【非特許文献１】「ＥＣＨＯＮＥＴ  Ｌｉｔｅ規格書  Ｖｅｒ１．１０」、エコーネットコンソーシアム、２０１３年５月３１日発行
【非特許文献２】「Ｓｍａｒｔ  Ｅｎｅｒｇｙ  Ｐｒｏｆｉｌｅ  ２  Ａｐｐｌｉｃａｔｉｏｎ  Ｐｒｏｔｏｃｏｌ  Ｓｔａｎｄａｒｄ」、ＺｉｇＢｅｅ  Ａｌｌｉａｎｃｅ，Ｉｎｃ．ａｎｄ  ＨｏｍｅＰｌｕｇ  Ｐｏｗｅｒｌｉｎｅ  Ａｌｌｉａｎｃｅ，Ｉｎｃ．２０１３年４月
【発明の概要】
【発明が解決しようとする課題】
【０００４】
上記のような機器管理システムでは、各種電気機器の動作を制御する機器管理装置は、たとえば電力供給が逼迫している場合、電気機器の電源を切る、または、電気機器の動作を制限するなど、各種電気機器による消費電力が低くなるように電気機器の動作状態を制御することができる。
【０００５】
しかしながら、このように各種電気機器が低消費電力で動作している場合において災害が発生すると、緊急事態であるにも関わらず利用者がこれらの電気機器を自由に使用することができない可能性がある。具体的には、災害時にテレビ、ラジオまたはパソコンなどの電気機器の動作が停止または制限されていることにより、利用者がこれらの電気機器を自由に利用することができず、たとえば、災害に関する情報収集を行うことができない可能性がある。また、災害時に集合住宅におけるエレベータの動作が停止または制限されていることにより、利用者が建物から避難する際に当該エレベータを自由に利用することができない可能性がある。
【０００６】
このように、省電力のために電気機器の動作を停止または制限する場合、電気機器の種類などによっては、災害時に利用者が自由に利用することができないことにより不都合を招く可能性がある。
【０００７】
この発明は、上述の課題を解決するためになされたもので、その目的は、電気機器の省電力動作をより適切に制御することができる機器管理装置、統合機器管理装置、機器管理システム、機器管理方法および機器管理プログラムを提供することである。
【課題を解決するための手段】
【０００８】
（１）上記課題を解決するために、この発明のある局面に係わる機器管理装置は、電力消費に関する電力管理情報を取得する電力管理情報取得部と、前記電力管理情報に基づいて、電気機器に省電力動作を行わせることが可能な動作制御部とを備え、前記動作制御部は、災害が発生すると、前記省電力動作を行っている前記電気機器の動作内容を変更する。
【０００９】
（７）上記課題を解決するために、この発明のある局面に係わる統合機器管理装置は、電気機器の動作を制御する複数の機器管理装置、の管理を行う統合機器管理装置であって、電力消費に関する電力管理情報を取得する電力管理情報取得部と、前記電力管理情報に基づいて、前記機器管理装置の制御対象である前記電気機器の消費電力の節電目標を、前記機器管理装置ごとに設定する目標設定部とを備え、前記目標設定部は、災害が発生すると、一部または全部の前記機器管理装置の前記節電目標を変更する。
【００１０】
（１２）上記課題を解決するために、この発明のある局面に係わる機器管理システムは、電気機器の動作を制御する複数の機器管理装置と、複数の前記機器管理装置の管理を行う統合機器管理装置とを備え、前記統合機器管理装置は、電力消費に関する電力管理情報に基づいて、前記機器管理装置の制御対象である前記電気機器の消費電力の節電目標を前記機器管理装置ごとに設定し、設定した前記節電目標を対応の前記機器管理装置へ送信し、前記機器管理装置は、前記統合機器管理装置から受信した前記節電目標に基づいて、自己の制御対象である前記電気機器に省電力動作を行わせ、前記統合機器管理装置は、災害が発生すると、一部または全部の前記機器管理装置の前記節電目標を変更し、前記機器管理装置は、前記統合機器管理装置により変更された後の前記節電目標に基づいて、前記省電力動作を行っている前記電気機器の動作内容を変更する。
【００１１】
（１３）上記課題を解決するために、この発明のある局面に係わる機器管理方法は、電気機器の動作を制御する複数の機器管理装置と、複数の前記機器管理装置の管理を行う統合機器管理装置とを備える機器管理システムにおける機器管理方法であって、前記統合機器管理装置が、電力消費に関する電力管理情報に基づいて、前記機器管理装置の制御対象である前記電気機器の消費電力の節電目標を前記機器管理装置ごとに設定し、設定した前記節電目標を対応の前記機器管理装置へ送信するステップと、前記機器管理装置が、前記統合機器管理装置から受信した前記節電目標に基づいて、自己の制御対象である前記電気機器に省電力動作を行わせるステップと、前記統合機器管理装置が、災害が発生すると、一部または全部の前記機器管理装置の前記節電目標を変更するステップと、前記機器管理装置が、前記統合機器管理装置により変更された後の前記節電目標に基づいて、前記省電力動作を行っている前記電気機器の動作内容を変更するステップとを含む。
【００１２】
（１４）上記課題を解決するために、この発明のある局面に係わる機器管理プログラムは、電気機器の動作を制御する複数の機器管理装置において用いられる機器管理プログラムであって、コンピュータに、電力消費に関する電力管理情報を取得するステップと、前記電力管理情報に基づいて、前記電気機器に省電力動作を行わせるステップと、災害が発生すると、前記省電力動作を行っている前記電気機器の動作内容を変更するステップとを実行させるためのプログラムである。
【００１３】
（１５）上記課題を解決するために、この発明の別の局面に係わる機器管理プログラムは、電気機器の動作を制御する複数の機器管理装置、の管理を行う統合機器管理装置において用いられる機器管理プログラムであって、コンピュータに、電力消費に関する電力管理情報を取得するステップと、前記電力管理情報に基づいて、前記機器管理装置の制御対象である前記電気機器の消費電力の節電目標を前記機器管理装置ごとに設定するステップと、災害が発生すると、一部または全部の前記機器管理装置の前記節電目標を変更するステップとを実行させるためのプログラムである。
【００１４】
本発明は、このような特徴的な処理部を備える機器管理装置として実現することができるだけでなく、かかる特徴的な処理をステップとする機器管理方法として実現することができる。また、機器管理装置の一部または全部を実現する半導体集積回路として実現することができる。
【００１５】
また、このような特徴的な処理部を備える統合機器管理装置として実現することができるだけでなく、かかる特徴的な処理をステップとする機器管理方法として実現することができる。また、統合機器管理装置の一部または全部を実現する半導体集積回路として実現することができる。
【００１６】
また、このような特徴的な処理部を備える機器管理システムとして実現することができるだけでなく、かかる特徴的なステップをコンピュータに実行させるための機器管理プログラムとして実現したりすることができる。
【発明の効果】
【００１７】
本発明によれば、電気機器の省電力動作をより適切に制御することができる。
【図面の簡単な説明】
【００１８】
【図１】図１は、本発明の第１の実施の形態に係る機器管理システムの構成を示す図である。
【図２】図２は、図１に示す機器管理装置の構成を示す図である。
【図３】図３は、本発明の第１の実施の形態に係る機器管理システムによる動作手順を定めたシーケンス図である。
【図４】図４は、本発明の第２の実施の形態に係る機器管理システムにおける機器管理装置の構成を示す図である。
【図５】図５は、図４に示す記憶部に記憶されている優先度の一例を示す図である。
【図６】図６は、本発明の第２の実施の形態に係る機器管理システムによる動作手順を定めたシーケンス図である。
【図７】図７は、本発明の第３の実施の形態に係る機器管理システムの構成を示す図である。
【図８】図８は、図７に示す統合機器管理装置の構成を示す図である。
【図９】図９は、図７に示す機器管理装置の構成を示す図である。
【図１０】図１０は、本発明の第３の実施の形態に係る機器管理システムによる動作手順を定めたシーケンス図である。
【図１１】図１１は、図１０に示すシーケンス図の続きである。
【図１２】図１２は、本発明の第４の実施の形態に係る機器管理システムにおける統合機器管理装置の構成を示す図である。
【図１３】図１３は、図１２に示す記憶部に記憶されている優先度の一例を示す図である。
【図１４】図１４は、本発明の第４の実施の形態に係る機器管理システムにおける機器管理装置の構成を示す図である。
【図１５】図１５は、図１４に示す記憶部に記憶されている優先度の一例を示す図である。
【図１６】図１６は、本発明の第４の実施の形態に係る機器管理システムによる動作手順を定めたシーケンス図である。
【図１７】図１７は、図１６に示すシーケンス図の続きである。
【発明を実施するための形態】
【００１９】
最初に、本発明の実施形態の内容を列記して説明する。
【００２０】
（１）本発明の実施の形態に係る機器管理装置は、電力消費に関する電力管理情報を取得する電力管理情報取得部と、前記電力管理情報に基づいて、電気機器に省電力動作を行わせることが可能な動作制御部とを備え、前記動作制御部は、災害が発生すると、前記省電力動作を行っている前記電気機器の動作内容を変更する。
【００２１】
このような構成により、災害時には、省電力動作中の電気機器の動作内容を変更することにより、当該電気機器の動作の制限を平時における当該電気機器の動作の制限よりも緩和させることが可能であるため、電気機器の省電力動作をより適切に制御することができる。
【００２２】
（２）好ましくは、前記動作制御部は、災害が発生すると、前記電気機器の前記省電力動作を解除する。
【００２３】
このような構成により、災害時には、利用者が任意の設定で電気機器を動作させることができるため、緊急事態において利用者が当該電気機器をより自由に利用することができる。
【００２４】
（３）好ましくは、前記機器管理装置は、複数の前記電気機器の動作を制御し、前記動作制御部は、災害が発生すると、災害時における前記電気機器の動作の必要性に応じて付与された優先度または優先順位に従って、前記各電気機器の動作内容を変更する。
【００２５】
このような構成により、災害時において、動作の必要性の高い電気機器ほど、利用者が自由に利用可能となるように各電気機器の動作内容を変更することができるため、電気機器の省電力動作をより一層適切に制御することができる。
【００２６】
（４）より好ましくは、前記動作制御部は、災害が発生すると、さらに、前記各電気機器の消費電力の合計が前記電力管理情報に基づく節電目標を達成するように、前記各電気機器の動作内容を変更する。
【００２７】
このような構成により、災害時において、動作の必要性の高い電気機器の動作の制限を緩和した場合であっても、他の電気機器の動作を平時よりも制限することにより、複数の電気機器による消費電力の合計が増大することを抑えることができる。
【００２８】
（５）より好ましくは、前記動作制御部は、前記各電気機器に付与される前記優先度または前記優先順位の複数のパターンのうち、災害の状況に応じたパターンにおける前記各電気機器の優先度または優先順位に従って、前記各電気機器の動作内容を変更する。
【００２９】
このように、たとえば、地震災害時と気象災害時とで各電気機器の動作の制限内容を変更する構成により、災害の状況に応じたより適切な制御を行うことができる。
【００３０】
（６）好ましくは、前記動作制御部は、災害が収束すると、前記電気機器の動作内容を、災害が発生していない場合の動作内容に変更する。
【００３１】
このような構成により、災害が収束した場合に、災害時に変更された電気機器の動作内容を、たとえば、平時における省電力動作に自動的に戻すことができる。
【００３２】
（７）本発明の実施の形態に係る統合機器管理装置は、電気機器の動作を制御する複数の機器管理装置、の管理を行う統合機器管理装置であって、電力消費に関する電力管理情報を取得する電力管理情報取得部と、前記電力管理情報に基づいて、前記機器管理装置の制御対象である前記電気機器の消費電力の節電目標を、前記機器管理装置ごとに設定する目標設定部とを備え、前記目標設定部は、災害が発生すると、一部または全部の前記機器管理装置の前記節電目標を変更する。
【００３３】
このような構成により、災害時には、ある機器管理装置の節電目標を平時における節電目標よりも低く設定することにより、当該機器管理装置により制御される電気機器の動作の制限を平時における当該電気機器の動作の制限よりも緩和させることが可能であるため、電気機器の省電力動作をより適切に制御することができる。
【００３４】
（８）好ましくは、前記目標設定部は、災害が発生すると、一部または全部の前記機器管理装置の前記節電目標を解除する。
【００３５】
このような構成により、災害時には、利用者が任意の設定で電気機器を動作させることができるため、緊急事態において利用者が当該電気機器をより自由に利用することができる。
【００３６】
（９）好ましくは、前記目標設定部は、災害が発生すると、前記機器管理装置の制御対象である前記電気機器の災害時における動作の必要性に応じて付与された前記機器管理装置の優先度または優先順位に従って、一部または全部の前記機器管理装置の前記節電目標を変更する。
【００３７】
このような構成により、災害時において、動作の必要性の高い電気機器ほど、利用者が自由に利用可能となるように、当該電気機器の動作を制御する機器管理装置の節電目標を変更できるため、電気機器の省電力動作をより一層適切に制御することができる。
【００３８】
（１０）より好ましくは、前記目標設定部は、災害が発生すると、さらに、前記機器管理装置の制御対象である全ての前記電気機器の消費電力の合計が、前記電力管理情報に基づく全ての前記電気機器を対象とした全体目標を達成するように、一部または全部の前記機器管理装置の前記節電目標を変更する。
【００３９】
このような構成により、災害時において、動作の必要性の高い電気機器の動作の制限が緩和されるように、当該電気機器の動作を制御する機器管理装置の節電目標を平時における節電目標よりも低く設定した場合であっても、他の電気機器の動作を制御する機器管理装置の節電目標を平時における節電目標よりも高く設定することにより、複数の電気機器による消費電力の合計が増大することを抑えることができる。
【００４０】
（１１）好ましくは、前記目標設定部は、災害が収束すると、一部または全部の前記機器管理装置の前記節電目標を、災害が発生していない場合の節電目標に変更する。
【００４１】
このような構成により、災害が収束した場合に、災害時に変更された電気機器の動作内容を、たとえば、平時における省電力動作に自動的に戻すことができる。
【００４２】
（１２）本発明の実施の形態に係る機器管理システムは、電気機器の動作を制御する複数の機器管理装置と、複数の前記機器管理装置の管理を行う統合機器管理装置とを備え、前記統合機器管理装置は、電力消費に関する電力管理情報に基づいて、前記機器管理装置の制御対象である前記電気機器の消費電力の節電目標を前記機器管理装置ごとに設定し、設定した前記節電目標を対応の前記機器管理装置へ送信し、前記機器管理装置は、前記統合機器管理装置から受信した前記節電目標に基づいて、自己の制御対象である前記電気機器に省電力動作を行わせ、前記統合機器管理装置は、災害が発生すると、一部または全部の前記機器管理装置の前記節電目標を変更し、前記機器管理装置は、前記統合機器管理装置により変更された後の前記節電目標に基づいて、前記省電力動作を行っている前記電気機器の動作内容を変更する。
【００４３】
このような構成により、災害時には、ある機器管理装置の節電目標を、平時における節電目標よりも低く設定することにより、当該機器管理装置により制御される電気機器の動作の制限を緩和させることが可能であるため、電気機器の省電力動作をより適切に制御することができる。
【００４４】
（１３）本発明の実施の形態に係る機器管理方法は、電気機器の動作を制御する複数の機器管理装置と、複数の前記機器管理装置の管理を行う統合機器管理装置とを備える機器管理システムにおける機器管理方法であって、前記統合機器管理装置が、電力消費に関する電力管理情報に基づいて、前記機器管理装置の制御対象である前記電気機器の消費電力の節電目標を前記機器管理装置ごとに設定し、設定した前記節電目標を対応の前記機器管理装置へ送信するステップと、前記機器管理装置が、前記統合機器管理装置から受信した前記節電目標に基づいて、自己の制御対象である前記電気機器に省電力動作を行わせるステップと、前記統合機器管理装置が、災害が発生すると、一部または全部の前記機器管理装置の前記節電目標を変更するステップと、前記機器管理装置が、前記統合機器管理装置により変更された後の前記節電目標に基づいて、前記省電力動作を行っている前記電気機器の動作内容を変更するステップとを含む。
【００４５】
このような方法により、災害時には、ある機器管理装置の節電目標を、平時における節電目標よりも低く設定することにより、当該機器管理装置により制御される電気機器の動作の制限を緩和させることが可能であるため、電気機器の省電力動作をより適切に制御することができる。
【００４６】
（１４）本発明の実施の形態に係る機器管理プログラムは、電気機器の動作を制御する複数の機器管理装置において用いられる機器管理プログラムであって、コンピュータに、電力消費に関する電力管理情報を取得するステップと、前記電力管理情報に基づいて、前記電気機器に省電力動作を行わせるステップと、災害が発生すると、前記省電力動作を行っている前記電気機器の動作内容を変更するステップとを実行させるためのプログラムである。
【００４７】
このようなプログラムにより、災害時には、省電力動作中の電気機器１３１の動作内容を変更することにより、当該電気機器１３１の動作の制限を平時における当該電気機器１３１の動作の制限よりも緩和させることが可能であるため、電気機器１３１の省電力動作をより適切に制御することができる。
【００４８】
（１５）本発明の実施の形態に係る機器管理プログラムは、電気機器の動作を制御する複数の機器管理装置、の管理を行う統合機器管理装置において用いられる機器管理プログラムであって、コンピュータに、電力消費に関する電力管理情報を取得するステップと、前記電力管理情報に基づいて、前記機器管理装置の制御対象である前記電気機器の消費電力の節電目標を前記機器管理装置ごとに設定するステップと、災害が発生すると、一部または全部の前記機器管理装置の前記節電目標を変更するステップとを実行させるためのプログラムである。
【００４９】
このようなプログラムにより、災害時には、ある機器管理装置の節電目標を、平時における節電目標よりも低く設定することにより、当該機器管理装置により制御される電気機器の動作の制限を緩和させることが可能であるため、電気機器の省電力動作をより適切に制御することができる。
【００５０】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００５１】
（第１の実施の形態）
［構成および基本動作］
（機器管理システム全体の構成）
図１は、本発明の第１の実施の形態に係る機器管理システムの構成を示す図である。
【００５２】
図１を参照して、本発明の第１の実施の形態に係る機器管理システム２０１は、機器管理装置１０１と、１または複数の電気機器１３１とを備える。機器管理装置１０１は、たとえば宅内に設置され、当該宅内に設けられた電気機器１３１と通信を行うことにより、電気機器１３１の動作を制御する。
【００５３】
機器管理装置１０１および各電気機器１３１は、たとえば、イーサネット（登録商標）規格に従う通信、無線ＬＡＮの規格に従う通信、ＰＬＣ（Ｐｏｗｅｒ  Ｌｉｎｅ  Ｃｏｍｍｕｎｉｃａｔｉｏｎ）の規格に従う通信、または、ＺｉｇＢｅｅ規格に従う通信を行う。なお、電気機器１３１は、機器管理システム２０１に必ずしも含まれていなくても良い。
【００５４】
機器管理装置１０１は、たとえば、電力会社のサーバからインターネット終端装置１２１または電力計量メータ１２３を介して電力消費に関する電力管理情報を受信する。この電力管理情報は、電力供給が逼迫していることを示す情報、日別もしくは時間帯別の電気料金情報、または、機器管理装置１０１が設置されている宅内全体の消費電力の節電要請を示す情報などである。
【００５５】
機器管理装置１０１は、電力管理情報を受信すると、受信した電力管理情報に基づいて電気機器１３１の動作を制御する。具体的には、機器管理装置１０１は、宅内全体で消費電力の２０％削減を節電目標とする節電要請を電力管理情報として受信した場合、当該節電目標が達成されるように、すなわち宅内に設置された電気機器１３１の消費電力の合計が現在の消費電力よりも２０％以上削減されるように、電気機器１３１に省電力動作を行わせる。
【００５６】
これにより、電気機器１３１の動作は、利用者の任意の設定に従う通常動作から、電気機器１３１の動作が停止または制限される省電力動作に切り替わる。
【００５７】
なお、節電目標は、削減すべき消費電力の割合を示す具体的な数値に限定されず、たとえば、高、中、低に分けられた複数の節電レベルのうちのいずれかの節電レベルを示す情報などであっても良い。
【００５８】
また、機器管理装置１０１は、たとえば、放送局または地域防災センタから放送終端装置１２２を介して災害情報を受信する。この災害情報とは、地震の発生の有無を示す情報、発生した地震の揺れの規模を示す情報、地震が来ることを前もって通知する緊急地震速報、大雨または台風などの気象災害を示す情報、または、Ｊアラートなどの警報システムから発信される情報などである。
【００５９】
機器管理装置１０１は、災害情報を受信すると、受信した災害情報に基づいて災害発生の有無を確認する。たとえば、機器管理装置１０１は、災害情報が示す地震の揺れの規模が震度５弱より大きい場合、災害発生有りと判断する。そして、機器管理装置１０１は、災害発生有りと判断すると、省電力動作を行っている電気機器１３１の動作内容を変更する。具体的には、機器管理装置１０１は、電気機器１３１の省電力動作を解除し、電気機器１３１に通常動作を行わせる。
【００６０】
なお、機器管理装置１０１は、インターネット終端装置１２１を介して、気象用Ｗｅｂページに開示されている災害情報、または、サービス事業者から配信される災害情報などを受信することも可能である。また、機器管理装置１０１は、災害情報を受信する構成に限らず、地震または気象災害などを自身で検知するためのセンサ等を有していても良い。
【００６１】
（機器管理装置の構成）
図２は、図１に示す機器管理装置の構成を示す図である。
【００６２】
図２を参照して、機器管理装置１０１は、電力管理情報取得部１１と、記憶部１２と、動作制御部１３と、災害情報受信部１４とを含む。動作制御部１３は、動作決定部１５と、信号送信部１６とを有する。
【００６３】
電力管理情報取得部１１は、電力会社のサーバなどからインターネット終端装置１２１または電力計量メータ１２３を介して電力管理情報を受信する。そして、電力管理情報取得部１１は、受信した電力管理情報に基づいて、自己の機器管理装置１０１が設置されている宅内全体の節電目標を設定する。そして、電力管理情報取得部１１は、設定した節電目標を動作決定部１５へ通知する。
【００６４】
記憶部１２は、自己の機器管理装置１０１の制御対象である電気機器１３１の消費電力等の情報を含む電気機器一覧を記憶する。たとえば、電気機器一覧には、エアコン、テレビおよび蓄電池などの電気機器１３１の種別と、当該電気機器１３１の現在の消費電力とが対応づけられている。
【００６５】
動作制御部１３において、動作決定部１５は、電力管理情報取得部１１から宅内全体における節電目標の通知を受けると、記憶部１２に記憶されている電気機器一覧を参照し、当該電気機器一覧に含まれる電気機器１３１の消費電力の合計が、電力管理情報取得部１１により設定された節電目標を達成するように、各電気機器１３１の省電力動作の具体的な内容を決定する。そして、動作決定部１５は、決定した各電気機器１３１の動作内容を示す制御信号を、信号送信部１６へ出力する。
【００６６】
信号送信部１６は、動作決定部１５から受けた制御信号を、それぞれ対応の電気機器１３１へ送信する。これにより、各電気機器１３１は、信号送信部１６から受信した制御信号に従った内容の省電力動作を行う。
【００６７】
災害情報受信部１４は、放送局などから放送終端装置１２２またはインターネット終端装置１２１を介して災害情報を受信する。そして、災害情報受信部１４は、受信した災害情報に基づいて災害発生の有無を確認し、災害発生有りと判断した場合、災害発生通知を動作決定部１５へ出力する。
【００６８】
動作決定部１５は、災害情報受信部１４から災害発生通知を受けると、記憶部１２に記憶されている電気機器一覧を参照し、当該電気機器一覧に含まれる電気機器１３１の省電力動作を解除することを決定する。そして、動作決定部１５は、各電気機器１３１の省電力動作を解除することを示す制御信号を、信号送信部１６へ出力する。
【００６９】
信号送信部１６は、動作決定部１５から受けた制御信号を、それぞれ対応の電気機器１３１へ送信する。これにより、各電気機器１３１は、信号送信部１６から受信した制御信号に従い、たとえば省電力動作を行う以前に行っていた通常動作を行う。
【００７０】
また、災害情報受信部１４は、放送局などから放送終端装置１２２またはインターネット終端装置１２１を介して、災害が収束して平時と変わらない状況になったこと、または、災害が収束して平時に近い状況になったことを示す災害解除通知を受信する。災害情報受信部１４は、災害解除通知を受信すると、災害が収束したことを示す災害解除通知を動作決定部１５へ出力する。
【００７１】
動作決定部１５は、災害情報受信部１４から災害解除通知を受けると、記憶部１２に記憶されている電気機器一覧に含まれる電気機器１３１の動作内容を、災害が発生していない場合の動作内容に変更する。たとえば、動作決定部１５は、各電気機器１３１の省電力動作を再開させることを決定し、各電気機器１３１の省電力動作を再開させることを示す制御信号を、信号送信部１６へ出力する。
【００７２】
信号送信部１６は、動作決定部１５から受けた制御信号を、それぞれ対応の電気機器１３１へ送信する。これにより、各電気機器１３１は、信号送信部１６から受信した制御信号に従い、省電力動作を再開する。
【００７３】
［動作］
次に、本発明の第１の実施の形態に係る機器管理システム２０１の動作について説明する。図３は、本発明の第１の実施の形態に係る機器管理システムによる動作手順を定めたシーケンス図である。
【００７４】
機器管理システム２０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００７５】
図３を参照して、まず、機器管理装置１０１は、電力会社のサーバなどから電力管理情報を受信する。ここでは、当該電力管理情報は、宅内全体で消費電力の２０％削減を目標とする節電要請を示す情報であることとする（ステップＳ１１）。
【００７６】
次に、機器管理装置１０１は、受信した電力管理情報に基づいて、宅内全体における消費電力の２０％を削減することを節電目標として設定し、設定した節電目標を達成するように、各電気機器１３１の省電力動作の具体的な内容を決定する。
【００７７】
たとえば、動作決定部１５は、エアコンが現在よりも冷房設定温度を２℃上げて動作すること、テレビが画面表示を行わないスタンバイモードで動作すること、および、蓄電池が現在よりも５０％減速した充電速度で動作することなどを決定する（ステップＳ１２）。
【００７８】
次に、機器管理装置１０１は、ステップＳ１２において決定した内容の省電力動作を行うことを指示するための制御信号を、対応の電気機器１３１へそれぞれ送信する。
【００７９】
すなわち、機器管理装置１０１は、現在よりも冷房設定温度を２℃上げて動作することを指示する制御信号を、エアコンである電気機器１３１へ送信する（ステップＳ１３）。また、機器管理装置１０１は、スタンバイモードで動作することを指示する制御信号を、テレビである電気機器１３１へ送信する（ステップＳ１４）。また、機器管理装置１０１は、現在よりも５０％減速した充電速度で動作することを指示する制御信号を、蓄電池である電気機器１３１へ送信する（ステップＳ１５）。
【００８０】
そして、各電気機器１３１は、機器管理装置１０１から制御信号を受信すると、受信した制御信号に従った内容の省電力動作を行う。
【００８１】
次に、機器管理装置１０１は、放送局などから災害情報を受信すると（ステップＳ１６）、受信した災害情報に基づいて、災害発生の有無を確認する。なお、ここでは、当該災害情報は、震度６の地震が発生したことを示す情報であり、機器管理装置１０１は、当該災害情報に基づいて、災害発生有りと判断することとする（ステップＳ１７）。
【００８２】
次に、機器管理装置１０１は、災害発生有りと判断すると、各電気機器１３１の省電力動作を解除することを決定する（ステップＳ１８）。
【００８３】
次に、機器管理装置１０１は、各電気機器１３１に、省電力動作を行う以前に行っていた通常動作を行うことを指示するための制御信号を、対応の電気機器１３１へそれぞれ送信する。
【００８４】
すなわち、機器管理装置１０１は、現在よりも冷房設定温度を２℃下げた元の冷房設定温度で動作することを指示する制御信号を、エアコンである電気機器１３１へ送信する（ステップＳ１９）。また、機器管理装置１０１は、画面の表示を行う通常モードで動作することを指示する制御信号を、テレビである電気機器１３１へ送信する（ステップＳ２０）。また、機器管理装置１０１は、現在よりも５０％上げた元の充電速度で動作することを指示する制御信号を、蓄電池である電気機器１３１へ送信する（ステップＳ２１）。
【００８５】
そして、各電気機器１３１は、機器管理装置１０１から制御信号を受信すると、受信した制御信号に従い、通常動作を行う。
【００８６】
次に、機器管理装置１０１は、放送局などから災害解除通知を受信すると（ステップＳ２２）、各電気機器１３１の省電力動作を再開することを決定する（ステップＳ２３）。
【００８７】
そして、機器管理装置１０１は、各電気機器１３１に省電力動作を再び行わせることを指示するための制御信号を、対応の電気機器１３１へそれぞれ送信する。ステップＳ２４からステップＳ２６までの動作は、ステップＳ１３からステップＳ１５までの動作と同様であるため、ここでの詳細な説明は繰り返さない。
【００８８】
なお、機器管理装置１０１から各電気機器１３１へ制御信号を送信する順番は、必ずしも図３に示す順番で行われなくても良く、たとえば、各電気機器１３１への制御信号の送信が並行して行われても良い。
【００８９】
また、機器管理装置１０１は、災害解除通知を受信した場合、各電気機器１３１の省電力動作を再開させる代わりに、各電気機器１３１の動作内容を災害発生前における動作内容とは異なる動作内容に変更することも可能である。
【００９０】
具体的には、機器管理装置１０１は、災害解除通知を受信すると、電力会社のサーバなどから電力管理情報を新たに受信する。そして、機器管理装置１０１は、新たに受信した電力管理情報の示す内容が、災害発生前に受信した電力管理情報の示す内容と異なる場合、新たに受信した電力管理情報の示す内容に基づいて各電気機器１３１の動作内容を再び決定することができる。
【００９１】
たとえば、災害発生前に受信された電力管理情報が、宅内全体で消費電力の２０％削減を目標とする節電要請を示す情報であり、災害収束後に受信された電力管理情報が、宅内全体で消費電力の１０％削減を目標とする節電要請を示す情報であるとする。このような場合、機器管理装置１０１は、図３に示すステップＳ２２において災害解除通知を受信した後、宅内全体における消費電力の１０％を削減することを新たな節電目標として設定し、設定した節電目標を達成するように、各電気機器１３１の省電力動作の内容を再び決定することができる。
【００９２】
ところで、上述した非特許文献１に記載の機器管理システムでは、各種電気機器の動作を制御する機器管理装置は、たとえば電力供給が逼迫している場合、電気機器の電源を切る、または、電気機器の動作を制限するなど、各種電気機器による消費電力が低くなるように電気機器の動作状態を制御することができる。
【００９３】
しかしながら、このように各種電気機器が低消費電力で動作している場合において災害が発生すると、緊急事態であるにも関わらず利用者がこれらの電気機器を自由に使用することができない可能性がある。具体的には、災害発生時にテレビ、ラジオまたはパソコンなどの電気機器の動作が停止または制限されていることにより、利用者がこれらの電気機器を自由に利用することができず、たとえば、災害に関する情報収集を行うことができない可能性がある。また、災害発生時に集合住宅におけるエレベータの動作が停止または制限されていることにより、利用者が建物から避難する際に当該エレベータを自由に利用することができない可能性がある。
【００９４】
このように、省電力のために電気機器の動作を停止または制限する場合、電気機器の種類などによっては、災害時に利用者が自由に利用することができないことにより不都合を招く可能性がある。
【００９５】
これに対して、本発明の第１の実施の形態に係る機器管理システム２０１における機器管理装置１０１では、電力管理情報取得部１１が、電力消費に関する電力管理情報を取得する。また、動作制御部１３が、電力管理情報に基づいて、電気機器１３１に省電力動作を行わせることが可能であり、災害が発生すると、省電力動作を行っている電気機器１３１の動作内容を変更する。
【００９６】
このような構成により、災害時には、省電力動作中の電気機器１３１の動作内容を変更することにより、当該電気機器１３１の動作の制限を平時における当該電気機器１３１の動作の制限よりも緩和させることが可能であるため、電気機器１３１の省電力動作をより適切に制御することができる。
【００９７】
また、第１の実施の形態に係る機器管理システム２０１における機器管理装置１０１では、動作制御部１３は、災害が発生すると、電気機器１３１の省電力動作を解除する。
【００９８】
このような構成により、災害時には、利用者が任意の設定で電気機器１３１を動作させることができるため、緊急事態において利用者が当該電気機器１３１をより自由に利用することができる。
【００９９】
また、第１の実施の形態に係る機器管理システム２０１における機器管理装置１０１では、動作制御部１３は、災害が収束すると、電気機器１３１の動作内容を、災害が発生していない場合の動作内容に変更する。
【０１００】
このような構成により、災害が収束した場合に、災害時に変更された電気機器１３１の動作内容を、たとえば、平時における省電力動作に自動的に戻すことができる。
【０１０１】
次に、本発明の他の実施の形態について図面を用いて説明する。なお、図中同一または相当部分には同一符号を付してその説明は繰り返さない。
【０１０２】
（第２の実施の形態）
上述した本発明の第１の実施の形態に係る機器管理システム２０１では、災害が発生すると、電気機器１３１の省電力動作を解除する。これに対して、本発明の第２の実施の形態に係る機器管理システム２０１では、災害が発生すると、電気機器１３１の省電力動作の具体的な内容を変更する。
【０１０３】
本発明の第２の実施の形態に係る監視システム２０１は、図１に示す本発明の第１の実施の形態に係る監視システム２０１と同様に、機器管理装置１０１と、１または複数の電気機器１３１とを備える。ここでは、本発明の第１の実施の形態に係る監視システム２０１と異なる点について主に説明する。
【０１０４】
［構成および基本動作］
図４は、本発明の第２の実施の形態に係る機器管理システムにおける機器管理装置の構成を示す図である。
【０１０５】
図４を参照して、機器管理装置１０１は、電力管理情報取得部１１と、記憶部１２と、動作制御部１３と、災害情報受信部１４とに加えて、さらに、優先度決定部１７を含む。
【０１０６】
記憶部１２は、自己の機器管理装置１０１の制御対象である電気機器１３１の消費電力等の情報を含む電気機器一覧に加えて、さらに、災害が発生していない平時における動作の必要性に応じて各電気機器１３１に付与された優先度、および、災害時における動作の必要性に応じて各電気機器１３１に付与された優先度を記憶する。
【０１０７】
図５は、図４に示す記憶部に記憶されている優先度の一例を示す図である。
【０１０８】
ここで、たとえば、平時において、電気給湯器の加熱速度が減速する場合と、蓄電池の充電速度が減速する場合とを比較して、電気給湯器の加熱速度が減速する場合の方が利用者にとって不便に感じる可能性が高いとする。このような場合、当該利用者は、平時において電力会社から節電要請を示す電力管理情報などが送信された場合に、電気給湯器の動作が蓄電池の動作よりも優先されるように、電気給湯器および蓄電池に予め優先度を付与しておくことができる。
【０１０９】
より詳細には、図５に示すように、利用者は、平時において電力会社から節電要請を示す電力管理情報などが送信された場合に、たとえば電気給湯器、エアコン、テレビ、蓄電池の順で動作が優先されることを希望する場合、この順の逆順、すなわち蓄電池、テレビ、エアコン、電気給湯器の順で優先的に多くの消費電力が削減されるように、各電気機器１３１に優先度を予め付与しておくことができる。
【０１１０】
また、地震が発生した場合は平時と比較して、テレビなどから情報収集を行う必要性が高まる。また、地震の影響によって水道管が破損して使用できなくなる可能性があるため、使用できるうちに電気給湯器に水を貯めておくことが有効である。このような理由によって利用者が、地震災害時においては、たとえばテレビ、電気給湯器、蓄電池、エアコンの順で動作が優先されることを希望する場合、当該利用者は、この順の逆順、すなわちエアコン、蓄電池、電気給湯器、テレビの順で優先的に消費電力が削減されるように、各電気機器１３１に予め優先度を付与しておくことができる。
【０１１１】
また、大雨または洪水などの気象災害が発生した場合、地震が発生した場合と同様に、テレビなどから情報収集を行う必要性が高まる。また、台風などの影響によって停電となる可能性があるため、蓄電池に電気を貯めておくことが有効である。このような理由により、利用者は、気象災害時において、たとえばテレビ、蓄電池、電気給湯器、エアコンの順で動作が優先されることを希望する場合、この順の逆順、すなわちエアコン、電気給湯器、蓄電池、テレビの順で優先的に消費電力が削減されるように、各電気機器１３１に予め優先度を付与しておくことができる。
【０１１２】
なお、上述した例は一例であって、各電気機器１３１に付与される優先度は図５に示すものに限定されない。また、各電気機器１３１に付与される優先度は、利用者により付与されるものに限らず、たとえば、各電気機器１３１には、平時、地震災害時および気象災害時のそれぞれにおける優先度が初期値として付与されていても良い。
【０１１３】
また、各電気機器１３１には、平時、地震災害時および気象災害時のそれぞれにおける動作の必要性に応じた優先度に限らず、平時、地震災害時および気象災害時のそれぞれにおける動作の必要性に応じた優先順位が付与されていても良い。
【０１１４】
また、図５では、地震災害時における各電気機器１３１の優先度のパターンと、気象災害時における各電気機器１３１の優先度のパターンとが異なる場合を示しているが、これらの優先度のパターンは同じであっても良い。また、各電気機器１３１に付与される優先度のパターンは、災害の規模などに応じて異なっても良い。
【０１１５】
再び図４を参照して、災害情報受信部１４は、放送局などから放送終端装置１２２またはインターネット終端装置１２１を介して災害情報を受信する。そして、災害情報受信部１４は、受信した災害情報に基づいて災害発生の有無を確認し、災害発生有りと判断した場合、災害発生通知を優先度決定部１７へ出力する。
【０１１６】
また、災害情報受信部１４は、放送局などから放送終端装置１２２またはインターネット終端装置１２１を介して、災害が収束して平時と変わらない状況になったこと、または、災害が収束して平時に近い状況になったことを示す災害解除通知を受信する。災害情報受信部１４は、災害解除通知を受信すると、災害が収束したことを示す災害解除通知を優先度決定部１７へ出力する。
【０１１７】
優先度決定部１７は、災害情報受信部１４から災害発生通知を受けない間、すなわち平時の間は、記憶部１２に記憶されている優先度を参照して、電気機器一覧の各電気機器１３１に付与された平時における優先度を動作決定部１５へ通知する。
【０１１８】
また、優先度決定部１７は、地震の発生を示す災害発生通知を災害情報受信部１４から受けると、記憶部１２に記憶されている優先度を参照して、電気機器一覧の各電気機器１３１に付与された地震災害時における優先度を動作決定部１５へ通知する。
【０１１９】
また、優先度決定部１７は、気象災害の発生を示す災害発生通知を災害情報受信部１４から受けると、記憶部１２に記憶されている優先度を参照して、電気機器一覧の各電気機器１３１に付与された気象災害時における優先度を動作決定部１５へ通知する。
【０１２０】
さらに、優先度決定部１７は、災害が収束して平時と変わらない状況になったこと、または、災害が収束して平時に近い状況になったことを示す災害解除通知を災害情報受信部１４から受けると、記憶部１２に記憶されている優先度を参照して、電気機器一覧の各電気機器１３１に付与された平時における優先度を動作決定部１５へ通知する。
【０１２１】
動作決定部１５は、たとえば、宅内全体における節電目標の通知を電力管理情報取得部１１から受ける。そして、動作決定部１５は、電力管理情報取得部１１から受けた節電目標と、優先度決定部１７から通知された各電気機器１３１の優先度とに基づいて、各電気機器１３１の省電力動作の具体的な内容を決定する。
【０１２２】
詳細には、動作決定部１５は、優先度が低い、すなわち動作の必要性が低い電気機器１３１ほど多くの消費電力が削減され、かつ、電気機器１３１の消費電力の合計が電力管理情報取得部１１から受けた節電目標を達成するように、各電気機器１３１の省電力動作の具体的な内容を決定する。そして、動作決定部１５は、決定した各電気機器１３１の動作内容を示す制御信号を、信号送信部１６へ出力する。
【０１２３】
信号送信部１６は、動作決定部１５から受けた制御信号を、それぞれ対応の電気機器１３１へ送信する。
【０１２４】
［動作］
次に、本発明の第２の実施の形態に係る機器管理システム２０１の動作について説明する。図６は、本発明の第２の実施の形態に係る機器管理システムによる動作手順を定めたシーケンス図である。
【０１２５】
機器管理システム２０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１２６】
図６を参照して、まず、機器管理装置１０１は、電力会社のサーバなどから電力管理情報を受信する。ここでは、当該電力管理情報は、宅内全体で電気機器１３１の消費電力の２０％削減を目標とする節電要請を示す情報であることとする（ステップＳ３１）。
【０１２７】
次に、機器管理装置１０１は、受信した電力管理情報に基づいて、宅内全体における消費電力の２０％を削減することを節電目標として設定する。そして、機器管理装置１０１は、電気機器１３１にそれぞれ付与された平時における優先度に基づいて、たとえば、蓄電池、テレビ、エアコン、電気給湯器の順で多くの消費電力が削減され、かつ、電気機器１３１の消費電力の合計が、設定した節電目標を達成するように、各電気機器１３１の省電力動作の具体的な内容を決定する。
【０１２８】
たとえば、機器管理装置１０１は、蓄電池が現在よりも８０％減速した充電速度で動作すること、テレビが画面表示を行わないスタンバイモードで動作すること、エアコンが現在よりも１℃上げた冷房設定温度で動作すること、および、電気給湯器が現在よりも２％減速した加熱速度で動作することを決定する（ステップＳ３２）。
【０１２９】
次に、機器管理装置１０１は、ステップＳ３２において決定した内容の省電力動作を行うことを指示するための制御信号を、対応の電気機器１３１へそれぞれ送信する。
【０１３０】
すなわち、機器管理装置１０１は、現在よりも１℃上げた冷房設定温度で動作することを指示する制御信号を、エアコンである電気機器１３１へ送信する（ステップＳ３３）。また、機器管理装置１０１は、スタンバイモードで動作することを指示する制御信号を、テレビである電気機器１３１へ送信する（ステップＳ３４）。
【０１３１】
また、機器管理装置１０１は、現在よりも８０％減速した充電速度で動作することを指示する制御信号を、蓄電池である電気機器１３１へ送信する（ステップＳ３５）。また、機器管理装置１０１は、現在よりも２％減速した加熱速度で動作することを指示する制御信号を、電気給湯器である電気機器１３１へ送信する（ステップＳ３６）。
【０１３２】
そして、各電気機器１３１は、機器管理装置１０１から制御信号を受信すると、受信した制御信号に従った内容の省電力動作を行う。
【０１３３】
次に、機器管理装置１０１は、放送局などから、たとえば震度６の地震の発生を示す災害情報を受信すると（ステップＳ３７）、受信した災害情報に基づいて、災害発生の有無を確認する。なお、ここでは、当該災害情報は、震度６の地震が発生したことを示す情報であり、機器管理装置１０１は、当該災害情報に基づいて、地震災害の発生有りと判断することとする（ステップＳ３８）。
【０１３４】
次に、機器管理装置１０１は、地震災害の発生有りと判断すると、電気機器１３１にそれぞれ付与された地震災害時における優先度に基づいて、たとえば、エアコン、蓄電池、電気給湯器、テレビの順で多くの消費電力が削減され、かつ、電気機器１３１の消費電力の合計が、ステップＳ３２において設定した節電目標を達成するように、各電気機器１３１の省電力動作の具体的な内容を決定する。
【０１３５】
具体的には、エアコンに付与された平時における優先度が「３」であるのに対して、エアコンに付与された地震災害時における優先度が「１」であるとする。このように、平時と比べて地震災害時の優先度が低い、すなわち動作の必要性が低い場合、機器管理装置１０１は、平時と比べて地震災害時の方がエアコンの消費電力が多く削減されるように、エアコンの省電力動作の具体的な内容を決定する。たとえば、機器管理装置１０１は、エアコンが通常動作における冷房設定温度よりも５℃上げた冷房設定温度で動作することを決定する。
【０１３６】
また、蓄電池に付与された平時における優先度が「１」であるのに対して、蓄電池に付与された地震災害時における優先度の方が「２」であるとする。このように、平時と比べて地震災害時の優先度が高い、すなわち動作の必要性が高い場合、機器管理装置１０１は、地震災害時と比べて平時の方が蓄電池の消費電力が多く削減されるように、蓄電池の省電力動作の具体的な内容を決定する。たとえば、機器管理装置１０１は、蓄電池が通常動作における充電速度よりも１０％減速した充電速度で動作することを決定する。
【０１３７】
また、機器管理装置１０１は、たとえば、電気給湯器が通常動作における加熱速度よりも５％減速した加熱速度で動作すること、および、テレビが画面の表示を行う通常モードで動作することを決定する（ステップＳ３９）。
【０１３８】
次に、機器管理装置１０１は、ステップＳ３９において決定した内容の省電力動作を行うことを指示するための制御信号を、対応の電気機器１３１へそれぞれ送信する。
【０１３９】
すなわち、機器管理装置１０１は、通常動作における冷房設定温度よりも５℃上げた冷房設定温度で動作することを指示する制御信号を、エアコンである電気機器１３１へ送信する（ステップＳ４０）。また、機器管理装置１０１は、通常モードで動作することを指示する制御信号を、テレビである電気機器１３１へ送信する（ステップＳ４１）。
【０１４０】
また、機器管理装置１０１は、通常動作における充電速度よりも１０％減速した充電速度で動作することを指示する制御信号を、蓄電池である電気機器１３１へ送信する（ステップＳ４２）。また、機器管理装置１０１は、通常動作における加熱速度よりも５％減速した加熱速度で動作することを指示する制御信号を、電気給湯器である電気機器１３１へ送信する（ステップＳ４３）。
【０１４１】
そして、各電気機器１３１は、機器管理装置１０１から制御信号を受信すると、受信した制御信号に従った内容の省電力動作を行う。
【０１４２】
次に、機器管理装置１０１は、放送局などから災害解除通知を受信すると（ステップＳ４４）、電気機器１３１にそれぞれ付与された平時における優先度に基づいて、たとえば、蓄電池、テレビ、エアコン、電気給湯器の順で多くの消費電力が削減され、かつ、電気機器１３１の消費電力の合計が、ステップＳ３１において設定した節電目標を達成するように、各電気機器１３１の省電力動作の具体的な内容を再び決定する。すなわち、機器管理装置１０１は、各電気機器１３１の省電力動作の内容を平時における省電力動作の内容に戻すことを決定する（ステップＳ４５）。
【０１４３】
そして、機器管理装置１０１は、ステップＳ４５において決定した内容の省電力動作を行うことを指示するための制御信号を、対応の電気機器１３１へそれぞれ送信する。ステップＳ４６からステップＳ４９までの動作は、ステップＳ３３からステップＳ３６までの動作と同様であるため、ここでの詳細な説明は繰り返さない。
【０１４４】
なお、機器管理装置１０１から各電気機器１３１へ制御信号を送信する順番は、必ずしも図６に示す順番で行われなくても良く、たとえば、各電気機器１３１への制御信号の送信が並行して行われても良い。
【０１４５】
その他の構成および動作は上述した本発明の第１の実施の形態に係る機器管理システム２０１と同様であるため、ここでは詳細な説明を繰り返さない。
【０１４６】
上記のように、本発明の第２の実施の形態に係る機器管理システム２０１における機器管理装置１０１は、複数の電気機器１３１の動作を制御する。また、機器管理装置１０１における動作制御部１３は、災害が発生すると、災害時における電気機器１３１の動作の必要性に応じて付与された優先度または優先順位に従って、各電気機器１３１の動作内容を変更する。
【０１４７】
このような構成により、災害時において、動作の必要性の高い電気機器１３１ほど、利用者が自由に利用可能となるように各電気機器１３１の動作内容を変更することができるため、電気機器１３１の省電力動作をより一層適切に制御することができる。
【０１４８】
また、本発明の第２の実施の形態に係る機器管理システム２０１における機器管理装置１０１では、動作制御部１３は、災害が発生すると、さらに、各電気機器１３１の消費電力の合計が電力管理情報に基づく節電目標を達成するように、各電気機器１３１の動作内容を変更する。
【０１４９】
このような構成により、災害時において、動作の必要性の高い電気機器１３１の動作の制限を緩和した場合であっても、他の電気機器１３１の動作を平時よりも制限することにより、複数の電気機器１３１による消費電力の合計が増大することを抑えることができる。
【０１５０】
また、本発明の第２の実施の形態に係る機器管理システム２０１における機器管理装置１０１では、動作制御部１３は、各電気機器１３１に付与される優先度または優先順位の複数のパターンのうち、災害の状況に応じたパターンにおける各電気機器１３１の優先度または優先順位に従って、各電気機器１３１の動作内容を変更する。
【０１５１】
このように、たとえば、地震災害時と気象災害時とで各電気機器１３１の動作の制限内容を変更する構成により、災害の状況に応じたより適切な制御を行うことができる。
【０１５２】
（第３の実施の形態）
上述した本発明の第１および第２の実施の形態に係る機器管理システム２０１では、機器管理装置１０１が電力管理情報に基づいて、たとえば自己が設置されている宅内全体における節電目標を設定する。これに対して、本発明の第３の実施の形態に係る機器管理システム２０２では、複数の機器管理装置１０１の管理を行う統合機器管理装置１０２が、機器管理装置１０１ごとに節電目標を設定する。
【０１５３】
［構成および基本動作］
図７は、本発明の第３の実施の形態に係る機器管理システムの構成を示す図である。
【０１５４】
図７を参照して、本発明の第３の実施の形態に係る機器管理システム２０２は、機器管理装置１０１Ａ，１０１Ｂ，１０１Ｃと、統合機器管理装置１０２と、機器管理装置１０１Ａ，１０１Ｂ，１０１Ｃのそれぞれの制御対象である電気機器１３１とを備える。以下、機器管理装置１０１Ａ，１０１Ｂ，１０１Ｃのそれぞれを、機器管理装置１０１とも称する。
【０１５５】
機器管理装置１０１は、たとえば、１世帯に１つずつ設置され、各世帯の宅内に設けられた１または複数の電気機器１３１、具体的にはエアコン、テレビおよび蓄電池などの動作を制御する。また、機器管理装置１０１は、各世帯に設置されるだけでなく、たとえば、集合住宅の共用部に設置され、共用エリアの電気機器１３１、具体的には共用エリアのエレベータ、共用エリアの照明および共用エリアのエアコンなどの動作を制御する。
【０１５６】
ここでは、機器管理装置１０１Ａが共用エリアの電気機器１３１の動作を制御し、機器管理装置１０１Ｂが世帯Ｘの宅内に設けられた電気機器１３１の動作を制御し、機器管理装置１０１Ｃが世帯Ｙの宅内に設けられた電気機器１３１の動作を制御することとする。なお、機器管理システム２０２に含まれる機器管理装置１０１は３つに限らない。
【０１５７】
統合機器管理装置１０２は、たとえば、集合住宅に設置され、電力会社のサーバからインターネット終端装置１２１または電力計量メータ１２３を介して電力管理情報を受信する。そして、統合機器管理装置１０２は、電力管理情報を受信すると、受信した電力管理情報に基づいて、各機器管理装置１０１の制御対象である電気機器１３１の消費電力の節電目標を設定する。そして、統合機器管理装置１０２は、設定した節電目標を、対応する機器管理装置１０１へそれぞれ送信する。
【０１５８】
機器管理装置１０１は、統合機器管理装置１０２から節電目標を受信すると、自己の制御対象である電気機器１３１の消費電力の合計が当該節電目標を達成するように、各電気機器１３１に省電力動作を行わせる。
【０１５９】
また、統合機器管理装置１０２は、たとえば、放送局または地域防災センタから放送終端装置１２２を介して災害情報を受信する。そして、統合機器管理装置１０２は、受信した災害情報に基づいて、災害発生の有無を確認し、災害発生有りと判断すると、各機器管理装置１０１の節電目標を変更する。
【０１６０】
具体的には、統合機器管理装置１０２は、各機器管理装置１０１の節電目標を解除することを決定し、節電目標の解除を指示するための節電解除指示を、各機器管理装置１０１へ送信する。
【０１６１】
機器管理装置１０１は、統合機器管理装置１０２から節電解除指示を受信すると、自己の制御対象である電気機器１３１の省電力動作を解除し、当該電気機器１３１に通常動作を行わせる。
【０１６２】
なお、統合機器管理装置１０２は、複数の機器管理装置１０１を管理するものであれば、集合住宅に設置されるものに限らない。また、統機器管理装置１０２は、災害発生有りと判断した場合、必ずしも全ての機器管理装置１０１の節電目標を変更しなくても良く、複数の機器管理装置１０１のうちの一部の機器管理装置１０１の節電目標を変更する構成であっても良い。
【０１６３】
（統合機器管理装置の構成）
図８は、図７に示す統合機器管理装置の構成を示す図である。
【０１６４】
図８を参照して、統合機器管理装置１０２は、電力管理情報取得部２１と、記憶部２２と、目標設定部２３と、信号送信部２４と、災害情報受信部２５とを含む。
【０１６５】
電力管理情報取得部２１は、電力会社のサーバなどからインターネット終端装置１２１または電力計量メータ１２３を介して電力管理情報を受信する。この電力管理情報は、たとえば、統合機器管理装置１０２が設置された集合住宅全体の消費電力の節電要請を示す情報である。電力管理情報取得部２１は、受信した電力管理情報に基づいて、たとえば機器管理装置１０１の制御対象である全ての電気機器１３１を対象とした節電の全体目標を設定し、設定した全体目標を目標設定部２３へ出力する。
【０１６６】
記憶部２２は、自己の統合機器管理装置１０２の管理対象である１または複数の機器管理装置１０１の制御対象である電気機器１３１、による消費電力等の情報を含む機器管理装置一覧を記憶する。
【０１６７】
目標設定部２３は、全ての電気機器１３１を対象とした節電の全体目標を電力管理情報取得部２１から受けると、記憶部２２に記憶されている機器管理装置一覧を参照し、当該全体目標に基づいて機器管理装置１０１ごとの節電目標を設定する。そして、目標設定部２３は、設定した節電目標を、信号送信部２４へ出力する。
【０１６８】
信号送信部２４は、目標設定部２３から受けた節電目標を、それぞれ対応の機器管理装置１０１へ送信する。これにより、機器管理装置１０１は、信号送信部２４から受信した節電目標を達成するように、自己の制御対象である電気機器１３１に省電力動作を行わせる。
【０１６９】
災害情報受信部２５は、放送局などから放送終端装置１２２またはインターネット終端装置１２１を介して災害情報を受信し、受信した災害情報に基づいて災害発生の有無を確認する。そして、災害情報受信部２５は、災害発生有りと判断すると、災害発生通知を目標設定部２３へ出力する。
【０１７０】
目標設定部２３は、災害情報受信部２５から災害発生通知を受けると、記憶部２２に記憶されている機器管理装置一覧を参照し、当該機器管理装置一覧に含まれる各機器管理装置１０１の節電目標を解除すること、すなわち機器管理装置１０１の制御対象である電気機器１３１の省電力動作を解除することを決定する。
【０１７１】
そして、目標設定部２３は、節電目標を解除することを指示するための節電解除指示を信号送信部２４へ出力する。信号送信部２４は、目標設定部２３から受けた節電解除指示を、それぞれ対応の機器管理装置１０１へ送信する。そして、機器管理装置１０１は、節電解除指示を受信すると、自己の制御対象である電気機器１３１の省電力動作を解除して、電気機器１３１に通常動作を行わせる。
【０１７２】
また、災害情報受信部２５は、放送局などから放送終端装置１２２またはインターネット終端装置１２１を介して、災害が収束して平時と変わらない状況になったこと、または、災害が収束して平時に近い状況になったことを示す災害解除通知を受信する。災害情報受信部２５は、災害解除通知を受信すると、災害が収束したことを示す災害解除通知を目標設定部２３へ出力する。
【０１７３】
目標設定部２３は、災害情報受信部２５から災害解除通知を受けると、記憶部２２に記憶されている機器管理装置一覧に含まれる各機器管理装置１０１の節電目標を、災害が発生していない場合の節電目標に変更する。たとえば、目標設定部２３は、各機器管理装置１０１の節電目標を、災害発生前における節電目標に戻し、災害発生前における節電目標を信号送信部２４へ出力する。
【０１７４】
信号送信部２４は、目標設定部２３から受けた節電目標を、それぞれ対応の機器管理装置１０１へ送信する。そして、機器管理装置１０１は、受信した節電目標に基づいて、自己の制御対象である電気機器１３１に省電力動作を再開させる。
【０１７５】
（機器管理装置の構成）
図９は、図７に示す機器管理装置の構成を示す図である。
【０１７６】
図９を参照して、機器管理装置１０１は、節電目標取得部３１と、記憶部３２と、動作制御部３３とを含む。動作制御部３３は、動作決定部３４と、信号送信部３５とを有する。
【０１７７】
節電目標取得部３１は、統合機器管理装置１０２の信号送信部２４から自己の機器管理装置１０１の節電目標を受信し、受信した節電目標を動作決定部３４へ出力する。記憶部３２は、自己の機器管理装置１０１の制御対象である電気機器１３１の消費電力等の情報を含む電気機器一覧を記憶する。
【０１７８】
動作決定部３４は、節電目標取得部３１から節電目標を受けると、記憶部３２に記憶されている電気機器一覧を参照し、当該電気機器一覧に含まれる電気機器１３１の消費電力の合計が節電目標を達成するように、各電気機器１３１の省電力動作の具体的な内容を決定する。そして、動作決定部３４は、決定した動作内容を示す制御信号を、信号送信部３５へ出力する。
【０１７９】
信号送信部３５は、動作決定部３４から受けた制御信号を、それぞれ対応の電気機器１３１へ送信する。これにより、各電気機器１３１は、信号送信部３５から受信した制御信号に従った内容の省電力動作を行う。
【０１８０】
また、節電目標取得部３１は、統合機器管理装置１０２の信号送信部２４から各電気機器１３１の節電目標を解除することを示す節電解除指示を受信すると、受信した節電解除指示を動作決定部３４へ出力する。
【０１８１】
動作決定部３４は、節電目標取得部３１から節電解除指示を受けると、記憶部３２に記憶されている電気機器一覧を参照し、当該電気機器一覧に含まれる電気機器１３１の省電力動作を解除することを決定する。そして、動作決定部３４は、各電気機器１３１の省電力動作を解除することを示す制御信号を信号送信部３５へ出力する。
【０１８２】
信号送信部３５は、動作決定部３４から受けた制御信号を、それぞれ対応の電気機器１３１へ送信する。これにより、各電気機器１３１は、信号送信部３５から受信した制御信号に従い、省電力動作を行う以前に行っていた通常動作を行う。
【０１８３】
［動作］
次に、本発明の第３の実施の形態に係る機器管理システム２０２の動作について説明する。図１０は、本発明の第３の実施の形態に係る機器管理システムによる動作手順を定めたシーケンス図であり、図１１は、図１０に示すシーケンス図の続きである。
【０１８４】
機器管理システム２０２における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１８５】
図１０および図１１を参照して、まず、統合機器管理装置１０２は、電力会社のサーバなどから電力管理情報を受信する。ここでは、当該電力管理情報は、統合機器管理装置１０２が設置されている集合住宅全体で消費電力の２０％削減を目標とする節電要請を示す情報であることとする（ステップＳ５１）。
【０１８６】
次に、統合機器管理装置１０２は、受信した電力管理情報に基づいて、全ての電気機器１３１による消費電力の合計を２０％削減することを集合住宅における全体目標として設定し、設定した当該全体目標を達成するように各機器管理装置１０１の節電目標を設定する。
【０１８７】
たとえば、統合機器管理装置１０２は、機器管理装置１０１Ａの制御対象である共用エリアにおける電気機器１３１の消費電力の合計を２０％削減すること、機器管理装置１０１Ｂの制御対象である世帯Ｘにおける電気機器１３１の消費電力の合計を２０％削減すること、機器管理装置１０１Ｃの制御対象である世帯Ｙにおける電気機器１３１の消費電力の合計を２０％削減すること、を機器管理装置１０１Ａ，１０１Ｂ，１０１Ｃのそれぞれの節電目標として設定する（ステップＳ５２）。
【０１８８】
次に、統合機器管理装置１０２は、ステップＳ５２において設定した節電目標を対応の機器管理装置１０１へそれぞれ送信する。
【０１８９】
すなわち、統合機器管理装置１０２は、共用エリアの電気機器１３１による消費電力の合計の２０％削減を示す節電目標を、機器管理装置１０１Ａへ送信する（ステップＳ５３）。また、統合機器管理装置１０２は、世帯Ｘの電気機器１３１による消費電力の合計の２０％削減を示す節電目標を、機器管理装置１０１Ｂへ送信する（ステップＳ５４）。また、統合機器管理装置１０２は、世帯Ｙの電気機器１３１による消費電力の合計の２０％削減を示す節電目標を、機器管理装置１０１Ｃへ送信する（ステップＳ５５）。
【０１９０】
次に、各機器管理装置１０１は、統合機器管理装置１０２から受信した節電目標に基づいて、自己の制御対象である電気機器１３１の省電力動作の具体的な内容を決定する。
【０１９１】
たとえば、機器管理装置１０１Ａは、共用エリアにおける複数のエレベータのうちの１台の運転を停止させること、共用エリアにおける複数の照明のうち２０％の照明を消灯させること、および、共用エリアにおけるエアコンの冷房設定温度を２℃上げることを決定する（ステップＳ５６）。
【０１９２】
次に、機器管理装置１０１Ａは、ステップＳ５６において決定した内容の省電力動作を行うことを指示するための制御信号を、対応の電気機器１３１へそれぞれ送信する。
【０１９３】
すなわち、機器管理装置１０１Ａは、複数のエレベータのうちの１台の運転を停止させることを指示する制御信号を、共用エリアのエレベータである電気機器１３１へ送信する（ステップＳ５７）。また、機器管理装置１０１Ａは、複数の照明のうち２０％の照明を消灯させることを指示する制御信号を、共用エリアの照明である電気機器１３１へ送信する（ステップＳ５８）。また、機器管理装置１０１Ａは、現在よりも冷房設定温度を２℃上げて動作することを指示する制御信号を、共用エリアのエアコンである電気機器１３１へ送信する（ステップＳ５９）。
【０１９４】
また、機器管理装置１０１Ｂは、自己の制御対象である電気機器１３１の消費電力の合計が２０％削減されるように、各電気機器１３１の省電力動作の具体的な内容を決定し、決定した内容を示す制御信号を、電気機器１３１へそれぞれ送信する（ステップＳ６０）。
【０１９５】
また、機器管理装置１０１Ｃは、自己の制御対象である電気機器１３１の消費電力の合計が２０％削減されるように、各電気機器１３１の省電力動作の具体的な内容を決定し、決定した内容を示す制御信号を、電気機器１３１へそれぞれ送信する（ステップＳ６１）。
【０１９６】
そして、各電気機器１３１は、機器管理装置１０１から制御信号を受信すると、受信した制御信号に従った内容の省電力動作を行う。
【０１９７】
次に、統合機器管理装置１０２は、放送局などから災害情報を受信すると（ステップＳ６２）、受信した災害情報に基づいて、災害発生の有無を確認する。なお、ここでは、当該災害情報は、震度６の地震が発生したことを示す情報であり、統合機器管理装置１０２は、当該災害情報に基づいて、災害発生有りと判断することとする（ステップＳ６３）。
【０１９８】
次に、統合機器管理装置１０２は、災害発生有りと判断すると、各機器管理装置１０１の節電目標の解除を決定する（ステップＳ６４）。
【０１９９】
次に、統合機器管理装置１０２は、各機器管理装置１０１の節電目標の解除を指示するための節電解除指示を、各機器管理装置１０１へそれぞれ送信する（ステップＳ６５〜Ｓ６７）。
【０２００】
次に、機器管理装置１０１Ａは、統合機器管理装置１０２から節電解除指示を受信すると、自己の制御対象である電気機器１３１の省電力動作を解除することを決定する（ステップＳ６８）。そして、機器管理装置１０１Ａは、各電気機器１３１に省電力動作を行う以前に行っていた通常動作を行うことを指示するための制御信号を、対応の電気機器１３１へそれぞれ送信する。
【０２０１】
たとえば、機器管理装置１０１Ａは、共用エリアの全てのエレベータを運転させることを指示する制御信号を、共用エリアのエレベータである電気機器１３１へ送信する（ステップＳ６９）。また、機器管理装置１０１Ａは、共用エリアの全ての照明を点灯させることを指示する制御信号を、共用エリアの照明である電気機器１３１へ送信する（ステップＳ７０）。また、機器管理装置１０１Ａは、共用エリアのエアコンの冷房設定温度を元の冷房設定温度に戻すことを指示する制御信号を、共用エリアのエアコンである電気機器１３１へ送信する（ステップＳ７１）。
【０２０２】
また、機器管理装置１０１Ｂは、自己の制御対象である電気機器１３１に省電力動作を行う以前に行っていた通常動作を行わせるための制御信号を、電気機器１３１へそれぞれ送信する（ステップＳ７２）。
【０２０３】
また、機器管理装置１０１Ｃは、自己の制御対象である電気機器１３１に省電力動作を行う以前に行っていた通常動作を行わせるための制御信号を、電気機器１３１へそれぞれ送信する（ステップＳ７３）。
【０２０４】
そして、各電気機器１３１は、機器管理装置１０１から制御信号を受信すると、受信した制御信号に従い、通常動作を行う。
【０２０５】
次に、統合機器管理装置１０２は、放送局などから災害解除通知を受信すると（ステップＳ７４）、各機器管理装置１０１の節電目標を、災害発生前における節電目標に戻すことを決定する（ステップＳ７５）。
【０２０６】
そして、統合機器管理装置１０２は、ステップＳ５２において設定した各機器管理装置１０１の節電目標を、対応の機器管理装置１０１へそれぞれ送信する。ステップＳ７６からステップＳ８４に示す動作は、ステップＳ５３からステップＳ６１に示す動作と同様であるため、ここでの詳細な説明は繰り返さない。
【０２０７】
なお、統合機器管理装置１０２から各機器管理装置１０１へ節電目標を送信する順番は、必ずしも図１０および図１１に示す順番で行われなくても良く、たとえば、各機器管理装置１０１への節電目標の送信が並行して行われても良い。
【０２０８】
また、機器管理装置１０１から各電気機器１３１へ制御信号を送信する順番は、必ずしも図１０および図１１に示す順番で行われなくても良く、たとえば、各電気機器１３１への制御信号の送信が並行して行われても良い。
【０２０９】
また、統合機器管理装置１０２は、災害解除通知を受信した場合、各機器管理装置１０１の節電目標を災害発生前における節電目標に戻す代わりに、各機器管理装置１０１の節電目標を災害発生前における節電目標とは異なる節電目標に設定することも可能である。
【０２１０】
具体的には、統合機器管理装置１０２は、災害解除通知を受信すると、電力会社のサーバなどから電力管理情報を新たに受信する。そして、統合機器管理装置１０２は、新たに受信した電力管理情報の示す内容が、災害発生前に受信した電力管理情報の示す内容と異なる場合、新たに受信した電力管理情報の示す内容に基づいて各機器管理装置１０１の節電目標を再び設定することができる。
【０２１１】
たとえば、災害発生前に受信された電力管理情報が、集合宅内全体で消費電力の２０％削減を目標とする節電要請を示す情報であり、災害収束後に受信された電力管理情報が、集合宅内全体で消費電力の１０％削減を目標とする節電要請を示す情報であるとする。このような場合、統合機器管理装置１０２は、図１１に示すステップＳ７４において災害解除通知を受信した後、集合宅内全体における消費電力の１０％を削減することを新たな全体目標として設定し、設定した当該全体目標を達成するように、各機器管理装置１０１の節電目標を設定することができる。
【０２１２】
その他の構成および動作は上述した本発明の第１の実施の形態に係る機器管理システム２０１と同様であるため、ここでは詳細な説明を繰り返さない。
【０２１３】
上記のように、本発明の第３の実施の形態に係る機器管理システム２０２における機器管理装置１０１では、統合機器管理装置１０２が、電気機器１３１の動作を制御する複数の機器管理装置１０１の管理を行う。また、統合機器管理装置１０２において、電力管理情報取得部２１が、電力消費に関する電力管理情報を取得する。また、目標設定部２３が、電力管理情報に基づいて、機器管理装置１０１の制御対象である電気機器１３１の消費電力の節電目標を、機器管理装置１０１ごとに設定する。また、目標設定部２３は、災害が発生すると、一部または全部の機器管理装置１０１の節電目標を変更する。
【０２１４】
このような構成により、災害時には、ある機器管理装置１０１の節電目標を平時における節電目標よりも低く設定することにより、当該機器管理装置１０１により制御される電気機器１３１の動作の制限を平時における当該電気機器１３１の動作の制限よりも緩和させることが可能であるため、電気機器１３１の省電力動作をより適切に制御することができる。
【０２１５】
また、本発明の第３の実施の形態に係る機器管理システム２０２における機器管理装置１０１では、目標設定部２３は、災害が発生すると、一部または全部の機器管理装置１０１の節電目標を解除する。
【０２１６】
このような構成により、災害時には、利用者が任意の設定で電気機器１３１を動作させることができるため、緊急事態において利用者が当該電気機器１３１をより自由に利用することができる。
【０２１７】
また、本発明の第３の実施の形態に係る機器管理システム２０２における機器管理装置１０１では、目標設定部２３は、災害が収束すると、一部または全部の機器管理装置１０１の節電目標を、災害が発生していない場合の節電目標に変更する。
【０２１８】
このような構成により、災害が収束した場合に、災害時に変更された電気機器１３１の動作内容を、たとえば、平時における省電力動作に自動的に戻すことができる。
【０２１９】
（第４の実施の形態）
上述した本発明の第３の実施の形態に係る機器管理システム２０２では、災害が発生すると、各機器管理装置１０１の節電目標を解除する。これに対して、本発明の第４の実施の形態に係る機器管理システム２０２では、災害が発生すると、各機器管理装置１０１の節電目標の内容を変更する。
【０２２０】
本発明の第４の実施の形態に係る監視システム２０２は、図７に示す本発明の第３の実施の形態に係る監視システム２０２と同様に、複数の機器管理装置１０１と、統合機器管理装置１０２と、各機器管理装置１０１の制御対象である電気機器１３１とを備える。ここでは、本発明の第３の実施の形態に係る監視システム２０２と異なる点について主に説明する。
【０２２１】
［構成および基本動作］
（統合機器管理装置の構成）
図１２は、本発明の第４の実施の形態に係る機器管理システムにおける統合機器管理装置の構成を示す図である。
【０２２２】
図１２を参照して、統合機器管理装置１０２は、電力管理情報取得部２１と、記憶部２２と、目標設定部２３と、信号送信部２４と、災害情報受信部２５とに加えて、さらに、優先度決定部２６と、災害情報送信部２７とを含む。
【０２２３】
記憶部２２は、自己の統合機器管理装置１０２の管理対象である機器管理装置１０１の制御対象である電気機器１３１、による消費電力等の情報を含む機器管理装置一覧に加えて、さらに、機器管理装置１０１の制御対象である電気機器１３１の平時における動作の必要性に応じて各機器管理装置１０１に付与された優先度、および、機器管理装置１０１の制御対象である電気機器１３１の災害時における動作の必要性に応じて各機器管理装置１０１に付与された優先度、を記憶する。
【０２２４】
図１３は、図１２に示す記憶部に記憶されている優先度の一例を示す図である。
【０２２５】
ここで、平時において、共用エリアの電気機器１３１が動作の制限を受ける場合と、各世帯の電気機器１３１が動作の制限を受ける場合とを比較して、各世帯の電気機器１３１が動作の制限を受ける場合の方が利用者にとって不便に感じる可能性が高いとする。このような場合、機器管理システム２０２の管理者等は、平時において電力会社から節電要請を示す電力管理情報などが送信された場合に、各世帯の電気機器１３１の動作が、共用エリアの電気機器１３１の動作よりも優先されるように、対応する機器管理装置１０１の優先度を予め付与しておくことができる。
【０２２６】
より詳細には、このような場合、機器管理システム２０２の管理者等は、図１３に示すように、各世帯の電気機器１３１、共用エリアの電気機器１３１の順で動作が優先されるように、この順の逆順、すなわち共用エリアの電気機器１３１、各世帯の電気機器１３１の順で優先的に多くの消費電力が削減されるように、対応する機器管理装置１０１の優先度を予め付与しておくことができる。
【０２２７】
また、災害が発生した場合、人が安全に避難することなどを可能にするため、共用エリアの電気機器１３１の動作が各世帯の電気機器１３１の動作よりも優先されるように、各世帯の電気機器１３１、共用エリアの電気機器１３１の順で優先的に多くの消費電力が削減されるように、対応する機器管理装置１０１の優先度を予め付与される。
【０２２８】
なお、上述した例は一例であって、各機器管理装置１０１の優先度は、図１３に示す順に限定されない。
【０２２９】
再び図１２を参照して、災害情報受信部２５は、放送局などから放送終端装置１２２またはインターネット終端装置１２１を介して災害情報を受信する。そして、災害情報受信部２５は、受信した災害情報に基づいて災害発生の有無を確認し、災害発生有りと判断した場合、災害発生通知を優先度決定部２６へ出力する。
【０２３０】
また、災害情報受信部２５は、放送局などから放送終端装置１２２またはインターネット終端装置１２１を介して、災害が収束して平時と変わらない状況になったこと、または、災害が収束して平時に近い状況になったことを示す災害解除  通知を受信する。災害情報受信部２５は、災害解除通知を受信すると、災害が収束したことを示す災害解除通知を優先度決定部２６へ出力する。
【０２３１】
優先度決定部２６は、災害情報受信部２５から災害情報を受けない間は、記憶部２２に記憶されている情報を参照して、記憶部２２に記憶されている優先度を参照して、機器管理装置一覧の各機器管理装置１０１に付与された平時における優先度を目標設定部２３へ通知する。
【０２３２】
また、優先度決定部２６は、災害の発生を示す災害発生通知を災害情報受信部２５から受けると、記憶部２２に記憶されている優先度を参照して、機器管理装置一覧の各機器管理装置１０１に付与された災害時における優先度を目標設定部２３へ通知する。
【０２３３】
また、優先度決定部２６は、災害情報受信部２５から災害発生通知を受けると、当該災害発生通知を災害情報送信部２７へ出力する。災害情報送信部２７は、優先度決定部２６から受けた災害発生通知を、自己の統合機器管理装置１０２により管理される１または複数の機器管理装置１０１へそれぞれ送信する。
【０２３４】
また、優先度決定部２６は、災害情報受信部２５から災害解除通知を受信すると、当該災害解除通知を災害情報送信部２７へ出力する。災害情報送信部２７は、優先度決定部２６から受けた災害解除通知を、自己の統合機器管理装置１０２により管理される１または複数の機器管理装置１０１へそれぞれ送信する。
【０２３５】
目標設定部２３は、たとえば、自己の統合機器管理装置１０２が設置されている集合住宅における全ての電気機器１３１を対象とした節電の全体目標を、電力管理情報取得部２１から受ける。そして、目標設定部２３は、当該全体目標と、優先度決定部２６から通知された機器管理装置１０１の優先度とに基づいて、各機器管理装置１０１の節電目標を設定する。
【０２３６】
詳細には、目標設定部２３は、優先度が低い、すなわち制御対象である電気機器１３１の動作の必要性が低い機器管理装置１０１ほど、制御対象である電気機器１３１の消費電力が多く削減され、かつ、全ての電気機器１３１の消費電力の合計が全体目標を達成するように、各機器管理装置１０１の節電目標を設定する。そして、目標設定部２３は、設定した各機器管理装置１０１の節電目標を、信号送信部２４へ送信する。
【０２３７】
信号送信部２４は、目標設定部２３から受けた節電目標を、それぞれ対応の機器管理装置１０１へ送信する。
【０２３８】
なお、各機器管理装置１０１には、平時および災害時のそれぞれにおける、自己の制御対象である電気機器１３１の動作の必要性に応じた優先度に限らず、平時および災害時のそれぞれにおける、自己の制御対象である電気機器１３１の動作の必要性に応じた優先順位が付与されていても良い。
【０２３９】
（機器管理装置の構成）
図１４は、本発明の第４の実施の形態に係る機器管理システムにおける機器管理装置の構成を示す図である。
【０２４０】
図１４を参照して、機器管理装置１０１は、節電目標取得部３１と、記憶部３２と、動作制御部３３とに加えて、さらに、災害情報受信部３６と、優先度決定部３７とを含む。
【０２４１】
節電目標取得部３１は、自己の機器管理装置１０１の節電目標を、統合機器管理装置１０２の信号送信部２４から受信し、受信した当該節電目標を、動作制御部３３の動作決定部３４へ出力する。
【０２４２】
記憶部３２は、自己の機器管理装置１０１の制御対象である電気機器１３１の消費電力等の情報を含む電気機器一覧に加えて、さらに、災害が発生していない平時における動作の必要性に応じて各電気機器１３１に付与された優先度、および、災害時における動作の必要性に応じて各電気機器１３１に付与された優先度を記憶する。
【０２４３】
図１５は、図１４に示す記憶部に記憶されている優先度の一例を示す図である。
【０２４４】
なお、ここでは、共用エリアの電気機器１３１、具体的には共用エリアのエレベータ、共用エリアの照明、および、共用エリアのエアコンの動作を制御する機器管理装置１０１の記憶部３２に記憶されている優先度を例示することとする。
【０２４５】
たとえば、平時において、共用エリアのエアコンの動作が制限される場合と、共用エリアのエレベータの動作が制限される場合とを比較して、共用エリアのエアコンの動作が制限される場合の方が利用者にとって不便に感じる可能性が高いとする。このような場合、当該利用者は、平時において電力会社から節電要請を示す電力管理情報などが送信された場合に、共用エリアのエアコンの動作が共用エリアのエレベータの動作よりも優先されるように、共用エリアのエアコンおよび共用エリアのエレベータに予め優先度を付与しておくことができる。
【０２４６】
より詳細には、図１５に示すように、利用者は、平時において電力会社から節電要請を示す電力管理情報などが送信された場合に、たとえば共用エリアのエアコン、共用エリアのエレベータ、共用エリアの照明の順で動作が優先されることを希望する場合、この順の逆順、すなわち共用エリアの照明、共用エリアのエレベータ、共用エリアのエアコンの順で優先的に多くの消費電力が削減されるように、各電気機器１３１に優先度を予め付与しておくことができる。
【０２４７】
また、災害が発生した場合、人が安全に避難することなどを可能にするため、平時と比較して、共用エリアの照明および共用エリアのエレベータの動作の必要性が高まる。このような理由によって利用者が、災害時においては、たとえば共用エリアの照明、共用エリアのエレベータ、共用エリアのエアコンの順で動作が優先されることを希望する場合、当該利用者は、この順の逆順、すなわち共用エリアのエアコン、共用エリアのエレベータ、共用エリアの照明の順で優先的に消費電力が削減されるように、各電気機器１３１に予め優先度を付与しておくことができる。
【０２４８】
なお、上述した例は一例であって、各電気機器１３１の優先度は、図１５に示す順に限定されない。また、各電気機器１３１には、初期値として所定の優先度が付与されていても良い。また、各電気機器１３１には、平時、地震災害時および気象災害時のそれぞれにおける動作の必要性に応じた優先度に限らず、平時、地震災害時および気象災害時のそれぞれにおける動作の必要性に応じた優先順位が付与されていても良い。
【０２４９】
再び図１４を参照して、災害情報受信部３６は、統合機器管理装置１０２の災害情報送信部２７から災害発生通知を受信する。そして、災害情報受信部３６は、受信した災害発生通知を優先度決定部３７へ出力する。
【０２５０】
また、災害情報受信部３６は、統合機器管理装置１０２の災害情報送信部２７から災害解除通知を受信する。災害情報受信部３６は、災害解除通知を受信すると、当該災害解除通知を優先度決定部３７へ出力する。
【０２５１】
優先度決定部３７は、災害情報受信部２５から災害情報を受けない間、すなわち平時の間は、記憶部３２に記憶されている優先度を参照して、電気機器一覧の各電気機器１３１に付与された平時における優先度を動作決定部１５へ通知する。
【０２５２】
また、優先度決定部３７は、災害発生通知を災害情報受信部３６から受けると、記憶部３２に記憶されている優先度を参照して、電気機器一覧の各電気機器１３１に付与された災害時における優先度を動作決定部３４へ通知する。
【０２５３】
また、優先度決定部３７は、災害が収束して平時と変わらない状況になったこと、または、災害が収束して平時に近い状況になったことを示す災害解除通知を災害情報受信部３６から受けると、記憶部３２に記憶されている優先度を参照して、電気機器一覧の各電気機器１３１に付与された平時における優先度を動作決定部１５へ通知する。
【０２５４】
動作決定部３４は、節電目標取得部３１から受けた節電目標と、優先度決定部３７から通知された各電気機器１３１の優先度とに基づいて、各電気機器１３１の省電力動作の具体的な内容を決定する。
【０２５５】
詳細には、動作決定部３４は、優先度が低い、すなわち動作の必要性が低い電気機器１３１ほど多くの消費電力が削減され、かつ、電気機器１３１の消費電力の合計が節電目標取得部３１から受けた節電目標を達成するように、各電気機器１３１の省電力動作の具体的な内容を決定する。そして、動作決定部３４は、決定した各電気機器１３１の動作内容を示す制御信号を、信号送信部３５へ出力する。
【０２５６】
信号送信部３５は、動作決定部３４から受けた制御信号を、それぞれ対応の電気機器１３１へ送信する。
【０２５７】
［動作］
次に、本発明の第４の実施の形態に係る機器管理システム２０２の動作について説明する。図１６は、本発明の第４の実施の形態に係る機器管理システムによる動作手順を定めたシーケンス図であり、図１７は、図１６に示すシーケンス図の続きである。
【０２５８】
機器管理システム２０２における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０２５９】
図１６および図１７を参照して、まず、統合機器管理装置１０２は、電力会社のサーバなどから電力管理情報を受信する。ここでは、当該電力管理情報は、統合機器管理装置１０２が設置されている集合宅内全体で消費電力の２０％削減を目標とする節電要請を示す情報であることとする（ステップＳ９１）。
【０２６０】
次に、統合機器管理装置１０２は、受信した電力管理情報に基づいて、全ての電気機器１３１による消費電力の合計を２０％削減することを集合住宅における全体目標として設定する。そして、統合機器管理装置１０２は、自己の管理対象である機器管理装置１０１にそれぞれ付与された平時における優先度に基づいて、たとえば、共用エリアの電気機器１３１、各世帯の電気機器１３１の順で多くの消費電力が削減され、かつ、設定した全体目標が達成されるように、各機器管理装置１０１の節電目標を設定する。
【０２６１】
たとえば、統合機器管理装置１０２は、共用エリアの電気機器１３１による消費電力の合計を４０％削減することを、対応する機器管理装置１０１の節電目標として設定する。また、たとえば、統合機器管理装置１０２は、各世帯の電気機器１３１による消費電力の合計を１５％削減することを、対応する機器管理装置１０１の節電目標として設定する（ステップＳ９２）。
【０２６２】
次に、統合機器管理装置１０２は、ステップＳ９２において設定した節電目標を、対応の機器管理装置１０１へそれぞれ送信する。
【０２６３】
すなわち、統合機器管理装置１０２は、共用エリアの電気機器１３１による消費電力の合計を４０％削減することを示す節電目標を、共用エリアにおける電気機器１３１の動作の制御を行う機器管理装置１０１Ａへ送信する（ステップＳ９３）。
【０２６４】
また、統合機器管理装置１０２は、たとえば、世帯Ｘの電気機器１３１による消費電力の合計を１５％削減することを示す節電目標を、世帯Ｘにおける電気機器１３１の動作の制御を行う機器管理装置１０１Ｂへ送信する（ステップＳ９４）。
【０２６５】
さらに、統合機器管理装置１０２は、たとえば、世帯Ｙの電気機器１３１による消費電力の合計を１５％削減することを示す節電目標を、世帯Ｙにおける電気機器１３１の動作の制御を行う機器管理装置１０１Ｃへ送信する（ステップＳ９５）。
【０２６６】
そして、各機器管理装置１０１は、統合機器管理装置１０２から受信した節電目標に基づいて、自己の制御対象である電気機器１３１に省電力動作を行わせることを決定する。
【０２６７】
詳細には、各機器管理装置１０１は、統合機器管理装置１０２から受信した節電目標と、自己の制御対象である電気機器１３１にそれぞれ付与された平時における優先度とに基づいて、優先度が低い電気機器１３１ほど多くの消費電力が削減され、かつ、電気機器１３１の消費電力の合計が、節電目標を達成するように、各電気機器１３１の省電力動作の具体的な内容を決定する。
【０２６８】
たとえば、機器管理装置１０１Ａは、共用エリアにおける複数のエレベータのうちの１台の運転を停止させること、共用エリアにおける複数の照明のうち５０％の照明を消灯させること、および、共用エリアにおけるエアコンの冷房設定温度を２℃上げることを決定する（ステップＳ９６）。
【０２６９】
次に、機器管理装置１０１Ａは、ステップＳ９６において決定した内容の省電力動作を行うことを指示するための制御信号を、対応の電気機器１３１へそれぞれ送信する。
【０２７０】
すなわち、機器管理装置１０１Ａは、複数のエレベータのうちの１台の運転を停止させることを指示する制御信号を、共用エリアのエレベータである電気機器１３１へ送信する（ステップＳ９７）。また、機器管理装置１０１Ａは、複数の照明のうち５０％の照明を消灯させることを指示する制御信号を、共用エリアの照明である電気機器１３１へ送信する（ステップＳ９８）。また、機器管理装置１０１Ａは、現在よりも冷房設定温度を２℃上げて動作することを指示する制御信号を、共用エリアのエアコンである電気機器１３１へ送信する（ステップＳ９９）。
【０２７１】
また、機器管理装置１０１Ｂは、自己の制御対象である電気機器１３１の消費電力の合計が１５％削減されるように、各電気機器１３１の省電力動作の具体的な内容を決定し、決定した内容を示す制御信号を、電気機器１３１へそれぞれ送信する（ステップＳ１００）。
【０２７２】
また、機器管理装置１０１Ｃは、自己の制御対象である電気機器１３１の消費電力の合計が１５％削減されるように、各電気機器１３１の省電力動作の具体的な内容を決定し、決定した内容を示す制御信号を、電気機器１３１へそれぞれ送信する（ステップＳ１０１）。
【０２７３】
そして、各電気機器１３１は、機器管理装置１０１から制御信号を受信すると、受信した制御信号に従った内容の省電力動作を行う。
【０２７４】
次に、統合機器管理装置１０２は、放送局などから災害情報を受信すると（ステップＳ１０２）、受信した災害情報とに基づいて災害発生の有無を確認する。なお、ここでは、当該災害情報は、震度６の地震が発生したことを示す情報であり、統合機器管理装置１０２は、当該災害情報に基づいて、災害発生有りと判断することとする（ステップＳ１０３）。
【０２７５】
次に、統合機器管理装置１０２は、災害発生有りと判断すると、ステップＳ９２において設定した全体目標と、自己の管理対象である機器管理装置１０１にそれぞれ付与された災害時における優先度に基づいて、各機器管理装置１０１の節電目標の内容を変更する。すなわち、統合機器管理装置１０２は、たとえば、各世帯の電気機器１３１、共用エリアの電気機器１３１の順で多くの消費電力が削減され、かつ、ステップＳ９２において設定した全体目標が達成されるように、各機器管理装置１０１の節電目標を設定する。
【０２７６】
たとえば、統合機器管理装置１０２は、共用エリアの電気機器１３１による消費電力の合計を１０％削減することを、対応する機器管理装置１０１の節電目標として設定する。また、たとえば、統合機器管理装置１０２は、各世帯の電気機器１３１による消費電力の合計を２５％削減することを、対応する機器管理装置１０１の節電目標として設定する（ステップＳ１０４）。
【０２７７】
次に、統合機器管理装置１０２は、ステップＳ１０４において設定した節電目標を、対応の機器管理装置１０１へそれぞれ送信する。
【０２７８】
すなわち、統合機器管理装置１０２は、共用エリアの電気機器１３１による消費電力の合計を１０％削減することを示す節電目標を、共用エリアにおける電気機器１３１の動作の制御を行う機器管理装置１０１Ａへ送信する（ステップＳ１０５）。
【０２７９】
また、統合機器管理装置１０２は、たとえば、世帯Ｘの電気機器１３１による消費電力の合計を２５％削減することを示す節電目標を、世帯Ｘにおける電気機器１３１の動作の制御を行う機器管理装置１０１Ｂへ送信する（ステップＳ１０６）。
【０２８０】
さらに、統合機器管理装置１０２は、たとえば、世帯Ｙの電気機器１３１による消費電力の合計を２５％削減することを示す節電目標を、世帯Ｙにおける電気機器１３１の動作の制御を行う機器管理装置１０１Ｃへ送信する（ステップＳ１０７）。
【０２８１】
そして、各機器管理装置１０１は、統合機器管理装置１０２から受信した節電目標と、自己の制御対象である電気機器１３１にそれぞれ付与された災害時における優先度に基づいて、優先度が低い電気機器１３１ほど多くの消費電力が削減され、かつ、電気機器１３１の消費電力の合計が、節電目標を達成するように、各電気機器１３１の省電力動作の具体的な内容を決定する。
【０２８２】
たとえば、機器管理装置１０１Ａは、共用エリアの全てのエレベータを運転させること、共用エリアの全ての照明を点灯させること、および、共用エリアのエアコンの冷房設定温度を通常動作における冷房設定温度よりも２℃上げた状態で継続して動作することを決定する（ステップＳ１０８）。
【０２８３】
次に、機器管理装置１０１Ａは、ステップＳ１０８において決定した内容の省電力動作を行うことを指示するための制御信号を、対応の電気機器１３１へそれぞれ送信する。
【０２８４】
すなわち、機器管理装置１０１Ａは、共用エリアの全てのエレベータを運転させることを指示する制御信号を、共用エリアのエレベータである電気機器１３１へ送信する（ステップＳ１０９）。また、機器管理装置１０１Ａは、共用エリアの全ての照明を点灯させることを指示する制御信号を、共用エリアの照明である電気機器１３１へ送信する（ステップＳ１１０）。また、機器管理装置１０１Ａは、現在の冷房設定温度を継続することを指示する制御信号を、共用エリアのエアコンである電気機器１３１へ送信する（ステップＳ１１１）。
【０２８５】
また、機器管理装置１０１Ｂは、自己の制御対象である電気機器１３１の消費電力の合計が２５％削減されるように、各電気機器１３１の省電力動作の具体的な内容を決定し、決定した内容を示す制御信号を、電気機器１３１へそれぞれ送信する（ステップＳ１１２）。
【０２８６】
また、機器管理装置１０１Ｃは、自己の制御対象である電気機器１３１の消費電力の合計が２５％削減されるように、各電気機器１３１の省電力動作の具体的な内容を決定し、決定した内容を示す制御信号を、電気機器１３１へそれぞれ送信する（ステップＳ１１３）。
【０２８７】
そして、各電気機器１３１は、機器管理装置１０１から制御信号を受信すると、受信した制御信号に従った内容の省電力動作を行う。
【０２８８】
次に、統合機器管理装置１０２は、放送局などから災害解除通知を受信すると（ステップＳ１１４）、各機器管理装置１０１の節電目標を、災害発生前における節電目標に戻すことを決定する（ステップＳ１１５）。
【０２８９】
そして、統合機器管理装置１０２は、ステップＳ９２において設定した各機器管理装置１０１の節電目標を、対応の機器管理装置１０１へそれぞれ送信する。ステップＳ１１６からステップＳ１２４に示す動作は、ステップＳ９３からステップＳ１０１に示す動作と同様であるため、ここでの詳細な説明は繰り返さない。
【０２９０】
なお、統合機器管理装置１０２から各機器管理装置１０１へ節電目標を送信する順番は、必ずしも図１６および図１７に示す順番で行われなくても良く、たとえば、各機器管理装置１０１への節電目標の送信が並行して行われても良い。
【０２９１】
また、機器管理装置１０１から各電気機器１３１へ制御信号を送信する順番は、必ずしも図１６および図１７に示す順番で行われなくても良く、たとえば、各電気機器１３１への制御信号の送信が並行して行われても良い。
【０２９２】
その他の構成および動作は上述した本発明の第３の実施の形態に係る機器管理システム２０２と同様であるため、ここでは詳細な説明を繰り返さない。
【０２９３】
上記のように、本発明の第４の実施の形態に係る機器管理システム２０２における機器管理装置１０１では、目標設定部２３は、災害が発生すると、機器管理装置１０１の制御対象である電気機器１３１の災害時における動作の必要性に応じて付与された機器管理装置１０１の優先度または優先順位に従って、一部または全部の機器管理装置１０１の節電目標を変更する。
【０２９４】
このような構成により、災害時１において、動作の必要性の高い電気機器１３１ほど、利用者が自由に利用可能となるように、当該電気機器１３１の動作を制御する機器管理装置１０１の節電目標を変更できるため、電気機器１３１の省電力動作をより一層適切に制御することができる。
【０２９５】
また、本発明の第４の実施の形態に係る機器管理システム２０２における機器管理装置１０１では、目標設定部２３は、災害が発生すると、さらに、機器管理装置１０１の制御対象である全ての電気機器１３１の消費電力の合計が、電力管理情報に基づく全ての電気機器１３１を対象とした全体目標を達成するように、一部または全部の機器管理装置１０１の節電目標を変更する。
【０２９６】
このような構成により、災害時において、動作の必要性の高い電気機器１３１の動作の制限が緩和されるように、当該電気機器１３１の動作を制御する機器管理装置１０１の節電目標を平時における節電目標よりも低く設定した場合であっても、他の電気機器１３１の動作を制御する機器管理装置１０１の節電目標を平時における節電目標よりも高く設定することにより、複数の電気機器１３１による消費電力の合計が増大することを抑えることができる。
【０２９７】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２９８】
以上の説明は、以下に付記する特徴を含む。
【０２９９】
［付記１］
電力消費に関する電力管理情報を取得する電力管理情報取得部と、
前記電力管理情報に基づいて、電気機器に省電力動作を行わせることが可能な動作制御部とを備え、
前記動作制御部は、災害が発生すると、前記省電力動作を行っている前記電気機器の動作内容を変更し、
前記動作制御部は、災害の発生前において、前記電力管理情報に基づいて、前記電気機器の消費電力の合計の節電目標を設定し、設定した前記節電目標を達成するように、前記各電気機器に省電力動作を行わせ、
前記動作制御部は、災害情報に基づいて災害の発生有りと判断された場合、前記省電力動作を行っている前記電気機器の動作内容を変更する、機器管理装置。
【０３００】
［付記２］
電気機器の動作を制御する複数の機器管理装置、の管理を行う統合機器管理装置であって、
電力消費に関する電力管理情報を取得する電力管理情報取得部と、
前記電力管理情報に基づいて、前記機器管理装置の制御対象である前記電気機器の消費電力の節電目標を、前記機器管理装置ごとに設定する目標設定部とを備え、
前記目標設定部は、災害が発生すると、一部または全部の前記機器管理装置の前記節電目標を変更し、
前記目標設定部は、災害の発生前において、前記電力管理情報に基づいて、全ての前記電気機器を対象とした全体目標を設定し、設定した前記全体目標を達成するように、前記各機器管理装置の前記節電目標を設定し、
前記目標設定部は、災害情報に基づいて災害の発生有りと判断された場合、一部または全部の前記機器管理装置の前記節電目標を変更する、統合機器管理装置。
【０３０１】
［付記３］
電気機器の動作を制御する複数の機器管理装置と、
複数の前記機器管理装置の管理を行う統合機器管理装置とを備え、
前記統合機器管理装置は、電力消費に関する電力管理情報に基づいて、前記機器管理装置の制御対象である前記電気機器の消費電力の節電目標を前記機器管理装置ごとに設定し、設定した前記節電目標を対応の前記機器管理装置へ送信し、
前記機器管理装置は、前記統合機器管理装置から受信した前記節電目標に基づいて、自己の制御対象である前記電気機器に省電力動作を行わせ、
前記統合機器管理装置は、災害が発生すると、一部または全部の前記機器管理装置の前記節電目標を変更し、
前記機器管理装置は、前記統合機器管理装置により変更された後の前記節電目標に基づいて、前記省電力動作を行っている前記電気機器の動作内容を変更し、
前記統合機器管理装置は、災害の発生前において、前記電力管理情報に基づいて、全ての前記電気機器を対象とした全体目標を設定し、設定した前記全体目標を達成するように、前記各機器管理装置の前記節電目標を設定し、
前記統合機器管理装置は、災害情報に基づいて災害の発生有りと判断した場合、一部または全部の前記機器管理装置の前記節電目標を変更する、機器管理システム。
【符号の説明】
【０３０２】
１１，２１  電力管理情報取得部
１２，２２，３２  記憶部
１３，３３  動作制御部
１４，２５，３６  災害情報受信部
１５，３４  動作決定部
１６，２４，３５  信号送信部
１７，２６，３７  優先度決定部
２３  目標設定部
２７  災害情報送信部
３１  節電目標取得部
１０１，１０１Ａ，１０１Ｂ，１０１Ｃ  機器管理装置
１２１  インターネット終端装置
１２２  放送終端装置
１２３  電力計量メータ
１３１  電気機器
２０１，２０２  機器管理システム
【図１】
2015065793.tif 000003
【図２】
2015065793.tif 000004
【図３】
2015065793.tif 000005
【図４】
2015065793.tif 000006
【図５】
2015065793.tif 000007
【図６】
2015065793.tif 000008
【図７】
2015065793.tif 000009
【図８】
2015065793.tif 000010
【図９】
2015065793.tif 000011
【図１０】
2015065793.tif 000012
【図１１】
2015065793.tif 000013
【図１２】
2015065793.tif 000014
【図１３】
2015065793.tif 000015
【図１４】
2015065793.tif 000016
【図１５】
2015065793.tif 000017
【図１６】
2015065793.tif 000018
【図１７】
2015065793.tif 000019